(57)【要約】    【課題】  撮影した画像データを送信し、この送信された画像データを印刷して出力した写真プリント等の出力物を、プリントラボ業者の店頭等で受け取るサービスを利用する際に、本人確認等の手間を軽減することができる撮像システムを提供する。    【解決手段】  撮像装置１００から画像情報管理装置４００に撮影画像データをアップロードすると（Ｔ１）、その写真プリントを受け取るために必要な引換情報が画像情報管理装置４００から返送される（Ｔ２）。撮像装置１００の使用者は、アップロードした撮影画像データの写真プリントを購入し受け取るためにプリントラボ業者の店頭を訪れ、そこで、印刷装置８００からの撮像装置問い合わせを受け（Ｔ４）、この撮像装置問い合わせに応じて、画像情報管理装置４００から送付された引換情報を印刷装置８００に返信することにより（Ｔ５）、画像情報管理装置４００から印刷装置８００に転送された画像データのプリントを印刷装置８００に依頼し、印刷した写真プリントを受け取る。【選択図】        図１
2005108119.tif 000002
【特許請求の範囲】
【請求項１】
処理情報を送信する送信装置と、前記送信装置から送信された処理情報を管理する情報管理装置と、前記情報管理装置から転送された処理情報に対して所定の出力処理を施す出力装置とを備えた情報出力システムであって、
前記送信装置は、
処理情報を前記情報管理装置に送信する画像送信手段と、前記処理情報を送信したことに対する引換証となる引換情報を前記情報管理装置から受信すると共に、前記出力装置の要求に応じて前記受信した引換情報を前記出力装置に送信する引換情報送受手段とを有し、
前記情報管理装置は、
前記送信装置から受信した処理情報を格納すると共に前記出力装置に転送する格納転送手段と、前記引換情報を前記送信装置に返信する引換情報発行手段とを有し、
前記出力装置は、
前記送信装置が近接して位置する状態にあるとき、該送信装置に対して前記引換情報を要求する引換情報要求手段と、前記引換情報要求手段による要求に応じて前記送信装置から前記引換情報が返信されたとき、前記情報管理装置から転送された処理情報と前記引換情報との照合判定を行う判定手段と、該判定手段の判定の結果が妥当であったとき前記処理情報の出力処理を行う出力処理手段とを有することを特徴とする情報出力システム。
【請求項２】
処理情報を送信する送信装置と、前記送信装置から送信された処理情報を管理する情報管理装置と、前記情報管理装置から転送された処理情報に対して所定の出力処理を施す出力装置とを備えた情報出力システムであって、
前記送信装置は、
処理情報を前記情報管理装置に送信する画像送信手段と、前記処理情報を送信したことに対する引換証となる引換情報を前記情報管理装置から受信すると共に、前記出力装置の要求に応じて前記受信した引換情報を前記出力装置に送信する引換情報送受手段とを有し、
前記情報管理装置は、
前記送信装置から受信した処理情報を格納する格納手段と、前記引換情報を前記送信装置に返信する引換情報発行手段と、前記出力装置から転送された引換情報と前記格納した処理情報との照合判定を行う判定手段と、該判定手段の判定の結果が妥当であったときに前記処理情報を前記出力装置に転送する格納転送手段とを有し、
前記出力装置は、
前記送信装置が近接して位置する状態にあるときに、該送信装置に対して前記引換情報を要求する引換情報要求手段と、前記引換情報要求手段の要求に応じて前記送信装置から前記引換情報が返信されたとき、前記引換情報に記述された内容から、前記処理情報を格納した情報管理装置を特定する情報を判読し、その判読結果である前記情報管理装置に前記引換情報を転送する引換情報判読転送手段と、前記転送した引換情報に対応する処理情報を前記情報管理装置から受信して出力する出力処理手段とを有することを特徴とする情報出力システム。
【請求項３】
前記情報管理装置は、
前記送信装置に関する課金情報の管理を行うと共に、前記出力装置からの前記送信装置に対する課金要求を受諾可能な課金管理手段を有し、
前記出力装置は、
前記処理情報を前記出力処理手段により出力した結果として、前記送信装置に対する課金を前記課金管理手段に要求する課金要求手段を有することを特徴とする請求項１乃至請求項２に記載の情報出力システム。
【請求項４】
前記送信装置と前記情報管理装置間の通信が第１の無線通信網から構成され、前記情報管理装置と前記出力装置間の通信がネットワーク網から構成され、前記送信装置と前記出力装置間の通信が第２の無線通信網から構成されることを特徴とする請求項１乃至請求項３に記載の情報出力システム。
【請求項５】
前記第１の無線通信網が携帯電話網であり、前記第２の無線通信網が微弱電波或いは赤外線を用いた近距離通信網であり、前記ネットワーク網がインターネットであることを特徴とする請求項４に記載の情報出力システム。
【請求項６】
被写体を撮像して送信する撮像装置と、前記撮像装置から送信された画像データを管理する画像情報管理装置と、前記画像情報管理装置から転送された画像データを印刷する印刷装置とを備えた撮像システムであって、
前記撮像装置は、
被写体を撮像する撮像手段と、前記撮像手段で撮像した画像データを前記画像情報管理装置に送信する画像送信手段と、前記画像データを送信したことに対する引換証となる引換情報を前記画像情報管理装置から受信すると共に、前記印刷装置の要求に応じて、前記受信した引換情報を前記印刷装置に送信する引換情報送受手段とを有し、
前記画像情報管理装置は、
前記撮像装置から受信した画像データを格納すると共に前記印刷装置に転送する格納転送手段と、前記引換情報を前記撮像装置に返信する引換情報発行手段とを有し、
前記印刷装置は、
前記撮像装置が近接して位置する状態にあるときに、前記引換情報を要求する引換情報要求手段と、前記引換情報要求手段の要求に応じて前記撮像装置から前記引換情報が返信されたとき、前記画像情報管理装置から転送された画像データと前記引換情報との照合判定を行う判定手段と、該判定手段の判定結果が妥当であったとき前記画像データの印刷を行う印刷手段とを有することを特徴とする撮像システム。
【請求項７】
被写体を撮像して送信する撮像装置と、前記撮像装置で撮像した画像データを管理する画像情報管理装置と、前記画像情報管理装置で撮像した画像データを印刷する印刷装置とを備えた撮像システムであって、
前記撮像装置は、
被写体を撮像する撮像手段と、撮像した画像データを前記画像情報管理装置に送信する画像送信手段と、前記画像データを送信したことに対する引換証となる引換情報を前記画像情報管理装置から受信すると共に、前記印刷装置の要求に応じて、前記受信した引換情報を前記印刷装置に送信する引換情報送受手段とを有し、
前記画像情報管理装置は、
前記撮像装置から受信した画像データを格納する格納手段と、前記引換情報を前記撮像装置に返信する引換情報発行手段と、前記印刷装置から転送された引換情報と前記格納した画像データとの照合判定を行う判定手段と、該判定手段の判定結果が妥当であったときに前記画像データを前記印刷装置に転送する格納転送手段とを有し、
前記印刷装置は、
前記撮像装置が近接して位置する状態にあるときに、該撮像装置に対して前記引換情報を要求する引換情報要求手段と、前記引換情報要求手段の要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送手段と、前記転送した引換情報に対応する画像データを前記画像情報管理装置から受信して印刷を行う印刷手段とを有することを特徴とする撮像システム。
【請求項８】
前記画像情報管理装置は、
前記撮像装置に関する課金情報の管理を行うと共に、前記印刷装置からの前記撮像装置に対する課金要求を受諾可能な課金管理手段を有し、
前記印刷装置は、
前記画像データを前記印刷手段により印刷した結果として、前記撮像装置に対する課金を前記課金管理手段に要求する課金要求手段を有することを特徴とする請求項６乃至請求項７に記載の撮像システム。
【請求項９】
前記撮像装置と前記画像情報管理装置間の通信が第１の無線通信網から構成され、前記画像情報管理装置と前記印刷装置間の通信がネットワーク網から構成され、前記撮像装置と前記印刷装置間の通信が第２の無線通信網から構成されることを特徴とする請求項６乃至請求項８に記載の撮像システム。
【請求項１０】
前記第１の無線通信網が携帯電話網であり、前記第２の無線通信網が微弱電波或いは赤外線を用いた近距離通信網であり、前記ネットワーク網がインターネットであることを特徴とする請求項９に記載の撮像システム。
【請求項１１】
画像データを管理する画像情報管理装置と、前記画像情報管理装置から転送された画像データを印刷する印刷装置とに通信可能に構成された撮像装置であって、
被写体を撮像する撮像手段と、
前記撮像手段で撮像した画像データを前記画像情報管理装置に送信する画像送信手段と、
前記画像データを送信したことに対する引換証となる引換情報を前記画像情報管理装置から受信すると共に、前記画像情報管理装置に送信した前記画像データを前記印刷装置によって印刷して引き取るために、前記印刷装置の要求に応じて、前記受信した引換情報を前記印刷装置に送信する引換情報送受手段とを有することを特徴とする撮像装置。
【請求項１２】
被写体を撮像して送信する撮像装置と、前記撮像装置で撮像した画像データを印刷する印刷装置とに通信可能に構成された画像情報管理装置であって、
前記撮像装置が送信した画像データを格納すると共に、該画像データを印刷するために前記印刷装置へ転送する格納転送手段と、
前記印刷装置で印刷された画像データを受け取るための引換証となる引換情報を、前記撮像装置が画像データを送信したことに対する返答として該撮像装置に返信する引換情報発行手段とを有することを特徴とする画像情報管理装置。
【請求項１３】
被写体を撮像して送信する撮像装置と、前記撮像装置で撮像した画像データを管理する画像情報管理装置とに通信可能に構成された印刷装置であって、
前記撮像装置が近接して位置する状態にある場合に、前記撮像装置が画像データを送信した際に前記画像情報管理装置から受け取った引換情報を要求する引換情報要求手段と、
前記引換情報要求手段の要求に応じて前記撮像装置から前記引換情報が返信されたとき、前記画像情報管理装置から転送された画像データと前記引換情報との照合判定を行う判定手段と、
前記判定手段の判定結果が妥当であったとき前記画像データの印刷を行う印刷手段とを有することを特徴とする印刷装置。
【請求項１４】
被写体を撮像して送信する撮像装置と、前記撮像装置で撮像した画像データを印刷する印刷装置とに通信可能に構成された画像情報管理装置であって、
前記撮像装置から受信した画像データを格納する格納手段と、
前記画像データを送信したことに対する引換証となる引換情報を前記撮像装置に返信する引換情報発行手段と、
前記撮像装置から前記印刷装置を経て転送された前記引換情報と前記格納した画像データとの照合判定を行う判定手段と、
前記判定手段の判定結果が妥当であったとき、前記画像データを印刷するために前記印刷装置に転送する格納転送手段とを有することを特徴とする画像情報管理装置。
【請求項１５】
被写体を撮像して送信する撮像装置と、前記撮像装置で撮像した画像データを管理する画像情報管理装置とに通信可能に構成された印刷装置であって、
前記撮像装置が近接して位置する状態にある場合に、前記撮像装置が画像データを送信したことに対する引換証として前記画像情報管理装置から受け取った引換情報を要求する引換情報要求手段と、
前記引換情報要求手段の要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送手段と、
前記転送した引換情報に対応する画像データを前記画像情報管理装置から受信して印刷を行う印刷手段とを有することを特徴とする印刷装置。
【請求項１６】
処理情報を送信する送信装置と、前記送信装置から送信された処理情報を管理する情報管理装置と、前記情報管理装置から転送された処理情報に対して所定の出力処理を施す出力装置とを備えた情報出力システムの情報出力方法であって、
前記送信装置から前記情報管理装置に処理情報を送信する画像送信工程と、
前記画像送信工程で送信した処理情報を前記情報管理装置に格納すると共に前記出力装置に転送する格納転送工程と、
前記処理情報を前記情報管理装置に格納したことに対する引換証となる引換情報を前記情報管理装置から前記送信装置に返信する引換情報発行工程と、
前記送信装置と前記出力装置とが近接して位置する状態にあるとき、前記出力装置の要求に応じて前記送信装置から前記出力装置へ前記引換情報を送信する引換情報送信工程と、
前記引換情報送信工程によって前記出力装置が受け取った引換情報と前記情報管理装置から前記出力装置に転送された処理情報との照合判定を行い、その判定結果が妥当であったとき、前記出力装置において前記処理情報の出力処理を行う出力処理工程とを順次実行することを特徴とする情報出力システムの情報出力方法。
【請求項１７】
処理情報を送信する送信装置と、前記送信装置から送信された処理情報を管理する情報管理装置と、前記情報管理装置から転送された処理情報に対して所定の出力処理を施す出力装置とを備えた情報出力システムの情報出力方法であって、
前記送信装置から前記情報管理装置に処理情報を送信する画像送信工程と、
前記画像送信工程で送信した処理情報を前記情報管理装置に格納する格納工程と、
前記処理情報を前記情報管理装置に格納したことに対する引換証となる引換情報を前記情報管理装置から前記送信装置に返信する引換情報発行工程と、
前記送信装置と前記出力装置とが近接して位置する状態にあるとき、前記出力装置の要求に応じて前記送信装置から前記出力装置へ前記引換情報を送信する引換情報送信工程と、
前記引換情報送信工程によって前記出力装置が受け取った引換情報に記述された内容から、前記処理情報を格納した情報管理装置を特定する情報を判読し、その判読結果である前記情報管理装置に前記引換情報を転送する引換情報判読転送工程と、
前記引換情報判読転送工程で前記出力装置から前記情報管理装置に転送された引換情報と前記格納工程で格納した処理情報との照合判定を行い、その判定結果が妥当であったときに該処理情報を前記情報管理装置から前記出力装置に転送する格納転送工程と、
前記情報管理装置から転送された処理情報の出力処理を行う出力処理工程とを順次実行することを特徴とする情報出力システムの情報出力方法。
【請求項１８】
画像データを管理する画像情報管理装置と、前記画像情報管理装置から転送された画像データを印刷する印刷装置とに通信可能に構成された撮像装置の制御方法を実行するための、コンピュータで読み取り可能な制御プログラムであって、
撮像手段で撮像した画像データを前記画像情報管理装置に送信する画像送信ステップと、
前記画像データを送信したことに対する引換証となる引換情報を前記画像情報管理装置から受信すると共に、前記画像情報管理装置に送信した前記画像データを前記印刷装置によって印刷して引き取るために、前記印刷装置の要求に応じて、前記受信した引換情報を前記印刷装置に送信する引換情報送受ステップとを有することを特徴とする制御プログラム。
【請求項１９】
被写体を撮像して送信する撮像装置と、前記撮像装置で撮像した画像データを印刷する印刷装置とに通信可能に構成された画像情報管理装置の制御方法を実行するための、コンピュータで読み取り可能な制御プログラムであって、
前記撮像装置が送信した画像データを格納すると共に、該画像データを印刷するために前記印刷装置へ転送する格納転送ステップと、
前記印刷装置で印刷された画像データを受け取るための引換証となる引換情報を、前記撮像装置が画像データを送信したことに対する返答として該撮像装置に返信する引換情報発行ステップとを有することを特徴とする制御プログラム。
【請求項２０】
被写体を撮像して送信する撮像装置と、前記撮像装置で撮像した画像データを管理する画像情報管理装置とに通信可能に構成された印刷装置の制御方法を実行するための、コンピュータで読み取り可能な制御プログラムであって、
前記撮像装置が近接して位置する状態にある場合に、前記撮像装置が画像データを送信した際に前記画像情報管理装置から受け取った引換情報を要求する引換情報要求ステップと、
前記引換情報要求ステップの要求に応じて前記撮像装置から前記引換情報が返信されたとき、前記画像情報管理装置から転送された画像データと前記引換情報との照合判定を行う判定ステップと、
前記判定ステップの判定結果が妥当であったとき前記画像データの印刷を行う印刷ステップとを有することを特徴とする制御プログラム。
【請求項２１】
被写体を撮像して送信する撮像装置と、前記撮像装置で撮像した画像データを印刷する印刷装置とに通信可能に構成された画像情報管理装置の制御方法を実行するための、コンピュータで読み取り可能な制御プログラムであって、
前記撮像装置から受信した画像データを格納する格納ステップと、
前記画像データを送信したことに対する引換証となる引換情報を前記撮像装置に返信する引換情報発行ステップと、
前記撮像装置から前記印刷装置を経て転送された前記引換情報と前記格納した画像データとの照合判定を行う判定ステップと、
前記判定ステップの判定結果が妥当であったとき、前記画像データを印刷するために前記印刷装置に転送する格納転送ステップとを有することを特徴とする制御プログラム。
【請求項２２】
被写体を撮像して送信する撮像装置と、前記撮像装置で撮像した画像データを管理する画像情報管理装置とに通信可能に構成された印刷装置の制御方法を実行するための、コンピュータで読み取り可能な制御プログラムであって、
前記撮像装置が近接して位置する状態にある場合に、前記撮像装置が画像データを送信したことに対する引換証として前記画像情報管理装置から受け取った引換情報を要求する引換情報要求ステップと、
前記引換情報要求ステップの要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送ステップと、
前記転送した引換情報に対応する画像データを前記画像情報管理装置から受信して印刷を行う印刷ステップとを有することを特徴とする制御プログラム。
【発明の詳細な説明】
【技術分野】
【０００１】
本発明は、撮像装置、画像情報管理装置及び印刷装置で構成された撮像システム等の情報出力システム、この情報出力システムの情報出力方法、及び制御プログラムに関する。
【背景技術】
【０００２】
近年、固体メモリ素子を有するメモリカードを記録媒体として、静止画像や動画像を記録、再生、通信する電子カメラ等の撮像装置は既に市販されている。そして、このような撮像装置で撮影した画像を、インターネット等の広域ネットワークに接続されたＷＷＷサーバに撮像装置から送信して格納し、ＷＷＷサーバ上で広く公開する撮像システムが構築されている。
【０００３】
この撮像システムによれば、ＷＷＷサーバに格納した画像を、インターネットに接続されたネットワークプリンタ或いはプリントラボ業者へ送信して印刷することが可能である。これによって、ＷＷＷサーバを通じて、撮影した画像データをプリントラボ業者へ送信し、印画された写真を店頭で受け取る写真プリントサービスも実現されている（例えば、特許文献１参照）。
【０００４】
さらに、このような撮像システムでは、撮影した画像データをＷＷＷサーバに適宜送信して格納するので、記録媒体の容量が少なくても多くの撮影を続けて行える小容量記録媒体搭載の安価な撮像装置を提供することが容易になる。したがって、このような撮像装置を、例えば外出先のコンビニエンスストアや観光地等で比較的安価に販売し、販売した後に、携帯電話網及びネットワークを介した写真プリントサービスを繰り返し利用させることにより収益を上げ、安価に販売した撮像装置のコストを回収するビジネスモデルを実現する撮像システムも検討され始めている。
【特許文献１】特開２００３−４６９１５号公報
【発明の開示】
【発明が解決しようとする課題】
【０００５】
しかしながら、上記従来の撮像システムにおいては、プリントラボ業者へ撮影した画像データを送信し、印画された写真プリントを店頭で受け取る際に、プリントラボ業者によって本人確認を行い、写真プリントの引渡しを間違い無く行うには、手間が掛かるという問題があった。
【０００６】
この問題を回避するために、撮影した画像を格納した記録媒体をプリントラボ業者の店頭に持ち込むことにより、従来の銀塩写真プリントと同様な簡易な手続きで、写真プリントを発注することも可能である。しかしこの場合、撮影してプリントするための画像データの総容量は、画像を格納する記録媒体の容量で制限されてしまうため、多くの写真プリントを発注する場合は大容量の記録媒体を用意する必要がある。さらに、ＷＷＷサーバを利用しないため、小容量記録媒体搭載の安価な構成の撮像装置を提供することが難しくなる。
【０００７】
また、外出先のコンビニエンスストアや観光地等で比較的安価に購入した撮像装置の使用者が、撮影した画像データを携帯電話網及びネットワークを介してプリントラボ業者に送信した後、その撮像装置を自宅に持ち帰らずにその場で廃棄してしまう場合があり、この場合には、写真プリントサービスが繰り返し利用されることを期待して安価に販売した撮像装置のコストを回収できないという問題があった。
【０００８】
本発明は、上記従来の問題点に鑑みて、撮影した画像データを送信し、この送信された画像データを印刷して出力した写真プリント等の出力物を、プリントラボ業者の店頭等で受け取るサービスを利用する際に、本人確認等の手間を軽減することができ、且つ安価の構成であっても廃棄されず写真プリントサービスの繰り返し利用を高めることができる情報出力システム、撮像システム、撮像装置、画像情報管理装置、印刷装置、情報出力システムの情報出力方法、及び制御プログラムを提供することを目的とする。
【課題を解決するための手段】
【０００９】
上記目的を達成するために、本発明の情報出力システムでは、処理情報を送信する送信装置と、前記送信装置から送信された処理情報を管理する情報管理装置と、前記情報管理装置から転送された処理情報に対して所定の出力処理を施す出力装置とを備えた情報出力システムであって、前記送信装置は、処理情報を前記情報管理装置に送信する画像送信手段と、前記処理情報を送信したことに対する引換証となる引換情報を前記情報管理装置から受信すると共に、前記出力装置の要求に応じて前記受信した引換情報を前記出力装置に送信する引換情報送受手段とを有し、前記情報管理装置は、前記送信装置から受信した処理情報を格納すると共に前記出力装置に転送する格納転送手段と、前記引換情報を前記送信装置に返信する引換情報発行手段とを有し、前記出力装置は、前記送信装置が近接して位置する状態にあるとき、該送信装置に対して前記引換情報を要求する引換情報要求手段と、前記引換情報要求手段による要求に応じて前記送信装置から前記引換情報が返信されたとき、前記情報管理装置から転送された処理情報と前記引換情報との照合判定を行う判定手段と、該判定手段の判定の結果が妥当であったとき前記処理情報の出力処理を行う出力処理手段とを有することを特徴とする。
【００１０】
本発明の情報出力システムでは、処理情報を送信する送信装置と、前記送信装置から送信された処理情報を管理する情報管理装置と、前記情報管理装置から転送された処理情報に対して所定の出力処理を施す出力装置とを備えた情報出力システムであって、前記送信装置は、処理情報を前記情報管理装置に送信する画像送信手段と、前記処理情報を送信したことに対する引換証となる引換情報を前記情報管理装置から受信すると共に、前記出力装置の要求に応じて前記受信した引換情報を前記出力装置に送信する引換情報送受手段とを有し、前記情報管理装置は、前記送信装置から受信した処理情報を格納する格納手段と、前記引換情報を前記送信装置に返信する引換情報発行手段と、前記出力装置から転送された引換情報と前記格納した処理情報との照合判定を行う判定手段と、該判定手段の判定の結果が妥当であったときに前記処理情報を前記出力装置に転送する格納転送手段とを有し、前記出力装置は、前記送信装置が近接して位置する状態にあるときに、該送信装置に対して前記引換情報を要求する引換情報要求手段と、前記引換情報要求手段の要求に応じて前記送信装置から前記引換情報が返信されたとき、前記引換情報に記述された内容から、前記処理情報を格納した情報管理装置を特定する情報を判読し、その判読結果である前記情報管理装置に前記引換情報を転送する引換情報判読転送手段と、前記転送した引換情報に対応する処理情報を前記情報管理装置から受信して出力する出力処理手段とを有することを特徴とする。
【００１１】
本発明の撮像システムでは、被写体を撮像して送信する撮像装置と、前記撮像装置から送信された画像データを管理する画像情報管理装置と、前記画像情報管理装置から転送された画像データを印刷する印刷装置とを備えた撮像システムであって、前記撮像装置は、被写体を撮像する撮像手段と、前記撮像手段で撮像した画像データを前記画像情報管理装置に送信する画像送信手段と、前記画像データを送信したことに対する引換証となる引換情報を前記画像情報管理装置から受信すると共に、前記印刷装置の要求に応じて、前記受信した引換情報を前記印刷装置に送信する引換情報送受手段とを有し、前記画像情報管理装置は、前記撮像装置から受信した画像データを格納すると共に前記印刷装置に転送する格納転送手段と、前記引換情報を前記撮像装置に返信する引換情報発行手段とを有し、前記印刷装置は、前記撮像装置が近接して位置する状態にあるときに、前記引換情報を要求する引換情報要求手段と、前記引換情報要求手段の要求に応じて前記撮像装置から前記引換情報が返信されたとき、前記画像情報管理装置から転送された画像データと前記引換情報との照合判定を行う判定手段と、該判定手段の判定結果が妥当であったとき前記画像データの印刷を行う印刷手段とを有することを特徴とする。
【００１２】
本発明の撮像システムでは、被写体を撮像して送信する撮像装置と、前記撮像装置で撮像した画像データを管理する画像情報管理装置と、前記画像情報管理装置で撮像した画像データを印刷する印刷装置とを備えた撮像システムであって、前記撮像装置は、被写体を撮像する撮像手段と、撮像した画像データを前記画像情報管理装置に送信する画像送信手段と、前記画像データを送信したことに対する引換証となる引換情報を前記画像情報管理装置から受信すると共に、前記印刷装置の要求に応じて、前記受信した引換情報を前記印刷装置に送信する引換情報送受手段とを有し、前記画像情報管理装置は、前記撮像装置から受信した画像データを格納する格納手段と、前記引換情報を前記撮像装置に返信する引換情報発行手段と、前記印刷装置から転送された引換情報と前記格納した画像データとの照合判定を行う判定手段と、該判定手段の判定結果が妥当であったときに前記画像データを前記印刷装置に転送する格納転送手段とを有し、前記印刷装置は、前記撮像装置が近接して位置する状態にあるときに、該撮像装置に対して前記引換情報を要求する引換情報要求手段と、前記引換情報要求手段の要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送手段と、前記転送した引換情報に対応する画像データを前記画像情報管理装置から受信して印刷を行う印刷手段とを有することを特徴とする。
【００１３】
本発明の撮像装置では、画像データを管理する画像情報管理装置と、前記画像情報管理装置から転送された画像データを印刷する印刷装置とに通信可能に構成された撮像装置であって、被写体を撮像する撮像手段と、前記撮像手段で撮像した画像データを前記画像情報管理装置に送信する画像送信手段と、前記画像データを送信したことに対する引換証となる引換情報を前記画像情報管理装置から受信すると共に、前記画像情報管理装置に送信した前記画像データを前記印刷装置によって印刷して引き取るために、前記印刷装置の要求に応じて、前記受信した引換情報を前記印刷装置に送信する引換情報送受手段とを有することを特徴とする。
【００１４】
本発明の画像情報管理装置では、被写体を撮像して送信する撮像装置と、前記撮像装置で撮像した画像データを印刷する印刷装置とに通信可能に構成された画像情報管理装置であって、前記撮像装置が送信した画像データを格納すると共に、該画像データを印刷するために前記印刷装置へ転送する格納転送手段と、前記印刷装置で印刷された画像データを受け取るための引換証となる引換情報を、前記撮像装置が画像データを送信したことに対する返答として該撮像装置に返信する引換情報発行手段とを有することを特徴とする。
【００１５】
本発明の印刷装置では、被写体を撮像して送信する撮像装置と、前記撮像装置で撮像した画像データを管理する画像情報管理装置とに通信可能に構成された印刷装置であって、前記撮像装置が近接して位置する状態にある場合に、前記撮像装置が画像データを送信した際に前記画像情報管理装置から受け取った引換情報を要求する引換情報要求手段と、前記引換情報要求手段の要求に応じて前記撮像装置から前記引換情報が返信されたとき、前記画像情報管理装置から転送された画像データと前記引換情報との照合判定を行う判定手段と、前記判定手段の判定結果が妥当であったとき前記画像データの印刷を行う印刷手段とを有することを特徴とする。
【００１６】
本発明の画像情報管理装置では、被写体を撮像して送信する撮像装置と、前記撮像装置で撮像した画像データを印刷する印刷装置とに通信可能に構成された画像情報管理装置であって、前記撮像装置から受信した画像データを格納する格納手段と、前記画像データを送信したことに対する引換証となる引換情報を前記撮像装置に返信する引換情報発行手段と、前記撮像装置から前記印刷装置を経て転送された前記引換情報と前記格納した画像データとの照合判定を行う判定手段と、前記判定手段の判定結果が妥当であったとき、前記画像データを印刷するために前記印刷装置に転送する格納転送手段とを有することを特徴とする。
【００１７】
本発明の印刷装置では、被写体を撮像して送信する撮像装置と、前記撮像装置で撮像した画像データを管理する画像情報管理装置とに通信可能に構成された印刷装置であって、前記撮像装置が近接して位置する状態にある場合に、前記撮像装置が画像データを送信したことに対する引換証として前記画像情報管理装置から受け取った引換情報を要求する引換情報要求手段と、前記引換情報要求手段の要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送手段と、前記転送した引換情報に対応する画像データを前記画像情報管理装置から受信して印刷を行う印刷手段とを有することを特徴とする。
【００１８】
本発明の情報出力システムの情報出力方法では、処理情報を送信する送信装置と、前記送信装置から送信された処理情報を管理する情報管理装置と、前記情報管理装置から転送された処理情報に対して所定の出力処理を施す出力装置とを備えた情報出力システムの情報出力方法であって、前記送信装置から前記情報管理装置に処理情報を送信する画像送信工程と、前記画像送信工程で送信した処理情報を前記情報管理装置に格納すると共に前記出力装置に転送する格納転送工程と、前記処理情報を前記情報管理装置に格納したことに対する引換証となる引換情報を前記情報管理装置から前記送信装置に返信する引換情報発行工程と、前記送信装置と前記出力装置とが近接して位置する状態にあるとき、前記出力装置の要求に応じて前記送信装置から前記出力装置へ前記引換情報を送信する引換情報送信工程と、前記引換情報送信工程によって前記出力装置が受け取った引換情報と前記情報管理装置から前記出力装置に転送された処理情報との照合判定を行い、その判定結果が妥当であったとき、前記出力装置において前記処理情報の出力処理を行う出力処理工程とを順次実行することを特徴とする。
【００１９】
本発明の情報出力システムの情報出力方法では、処理情報を送信する送信装置と、前記送信装置から送信された処理情報を管理する情報管理装置と、前記情報管理装置から転送された処理情報に対して所定の出力処理を施す出力装置とを備えた情報出力システムの情報出力方法であって、前記送信装置から前記情報管理装置に処理情報を送信する画像送信工程と、前記画像送信工程で送信した処理情報を前記情報管理装置に格納する格納工程と、前記処理情報を前記情報管理装置に格納したことに対する引換証となる引換情報を前記情報管理装置から前記送信装置に返信する引換情報発行工程と、前記送信装置と前記出力装置とが近接して位置する状態にあるとき、前記出力装置の要求に応じて前記送信装置から前記出力装置へ前記引換情報を送信する引換情報送信工程と、前記引換情報送信工程によって前記出力装置が受け取った引換情報に記述された内容から、前記処理情報を格納した情報管理装置を特定する情報を判読し、その判読結果である前記情報管理装置に前記引換情報を転送する引換情報判読転送工程と、前記引換情報判読転送工程で前記出力装置から前記情報管理装置に転送された引換情報と前記格納工程で格納した処理情報との照合判定を行い、その判定結果が妥当であったときに該処理情報を前記情報管理装置から前記出力装置に転送する格納転送工程と、前記情報管理装置から転送された処理情報の出力処理を行う出力処理工程とを順次実行することを特徴とする。
【００２０】
本発明の制御プログラムでは、画像データを管理する画像情報管理装置と、前記画像情報管理装置から転送された画像データを印刷する印刷装置とに通信可能に構成された撮像装置の制御方法を実行するための、コンピュータで読み取り可能な制御プログラムであって、撮像手段で撮像した画像データを前記画像情報管理装置に送信する画像送信ステップと、前記画像データを送信したことに対する引換証となる引換情報を前記画像情報管理装置から受信すると共に、前記画像情報管理装置に送信した前記画像データを前記印刷装置によって印刷して引き取るために、前記印刷装置の要求に応じて、前記受信した引換情報を前記印刷装置に送信する引換情報送受ステップとを有することを特徴とする。
【００２１】
本発明の制御プログラムでは、被写体を撮像して送信する撮像装置と、前記撮像装置で撮像した画像データを印刷する印刷装置とに通信可能に構成された画像情報管理装置の制御方法を実行するための、コンピュータで読み取り可能な制御プログラムであって、前記撮像装置が送信した画像データを格納すると共に、該画像データを印刷するために前記印刷装置へ転送する格納転送ステップと、前記印刷装置で印刷された画像データを受け取るための引換証となる引換情報を、前記撮像装置が画像データを送信したことに対する返答として該撮像装置に返信する引換情報発行ステップとを有することを特徴とする。
【００２２】
本発明の制御プログラムでは、被写体を撮像して送信する撮像装置と、前記撮像装置で撮像した画像データを管理する画像情報管理装置とに通信可能に構成された印刷装置の制御方法を実行するための、コンピュータで読み取り可能な制御プログラムであって、前記撮像装置が近接して位置する状態にある場合に、前記撮像装置が画像データを送信した際に前記画像情報管理装置から受け取った引換情報を要求する引換情報要求ステップと、前記引換情報要求ステップの要求に応じて前記撮像装置から前記引換情報が返信されたとき、前記画像情報管理装置から転送された画像データと前記引換情報との照合判定を行う判定ステップと、前記判定ステップの判定結果が妥当であったとき前記画像データの印刷を行う印刷ステップとを有することを特徴とする。
【００２３】
本発明の制御プログラムでは、被写体を撮像して送信する撮像装置と、前記撮像装置で撮像した画像データを印刷する印刷装置とに通信可能に構成された画像情報管理装置の制御方法を実行するための、コンピュータで読み取り可能な制御プログラムであって、前記撮像装置から受信した画像データを格納する格納ステップと、前記画像データを送信したことに対する引換証となる引換情報を前記撮像装置に返信する引換情報発行ステップと、前記撮像装置から前記印刷装置を経て転送された前記引換情報と前記格納した画像データとの照合判定を行う判定ステップと、前記判定ステップの判定結果が妥当であったとき、前記画像データを印刷するために前記印刷装置に転送する格納転送ステップとを有することを特徴とする。
【００２４】
本発明の制御プログラムでは、被写体を撮像して送信する撮像装置と、前記撮像装置で撮像した画像データを管理する画像情報管理装置とに通信可能に構成された印刷装置の制御方法を実行するための、コンピュータで読み取り可能な制御プログラムであって、前記撮像装置が近接して位置する状態にある場合に、前記撮像装置が画像データを送信したことに対する引換証として前記画像情報管理装置から受け取った引換情報を要求する引換情報要求ステップと、前記引換情報要求ステップの要求に応じて前記撮像装置から前記引換情報が返信されたとき、前記引換情報に記述された内容から、前記画像データを格納した画像情報管理装置を特定する情報を判読し、その判読結果である前記画像情報管理装置に前記引換情報を転送する引換情報判読転送ステップと、前記転送した引換情報に対応する画像データを前記画像情報管理装置から受信して印刷を行う印刷ステップとを有することを特徴とする。
【発明の効果】
【００２５】
請求項１，４，５，６，９，１０，１１，１２，１３，１６，１８，１９，２０の発明によれば、送信装置（撮像装置）によって処理情報（撮影した画像データ）を送信し、この送信された処理情報に対して所定の出力処理（印刷）を施した写真プリント等の処理物を、出力装置（印刷装置）の有る例えばプリントラボ業者の店頭等で受け取るサービスを利用する際に、本人確認等の手間を軽減することが可能になる。また、写真プリント等の処理物を受け取るためには送信装置を店頭等に必ず持ち込む必要があり、その送信装置を自宅に持ち帰らずにその場で廃棄してしまうこともなくなり、これによって前記サービスの繰り返し利用が期待できる。従って、安価に販売した送信装置のコストを回収することも可能になる。
【００２６】
請求項２，７，１４，１５，１７，２１，２２の発明によれば、送信装置（撮像装置）によって処理情報（撮影した画像データ）を送信し、この送信された処理情報に対して所定の出力処理（印刷）を施した写真プリント等の処理物を、出力装置（印刷装置）の有る例えばプリントラボ業者の店頭等で受け取るサービスを利用する際に、上記した効果と同様の効果が得られるほか、処理情報を格納した情報管理装置（画像管理装置）にアクセスすることが可能な出力装置（印刷装置）であれば、どの場所にある出力装置であっても、写真プリント等の処理物を引き取ることが可能になる。
【００２７】
請求項３，８の発明によれば、送信装置（撮像装置）によって処理情報（撮影した画像データ）を送信し、この送信された処理情報に対して所定の出力処理（印刷）を施した写真プリント等の処理物を、出力装置（印刷装置）の有る例えばプリントラボ業者の店頭等で受け取るサービスを利用する際に、サービスの利用代金の支払いを簡便に行うことが可能になる。
【発明を実施するための最良の形態】
【００２８】
本発明の情報出力システム、撮像システム、撮像装置、画像情報管理装置、印刷装置、情報出力システムの情報出力方法、及び制御プログラムの実施の形態について、図面を参照しながら説明する。本実施形態の情報出力システムは、撮像システムに適用される。
【００２９】
［第１実施形態］
＜システムの全体構成＞
図１は、本発明の第１実施形態に係る撮像システムの全体構成を示す図である。
【００３０】
１００は、通信部１１０（図３参照）及びアンテナ１１２を有する電子カメラ等の撮像装置である。
【００３１】
４００は画像ゲートウェイ等の画像情報管理装置であり、５００は通常ユーザが使用するクライアントコンピュータ、携帯情報機器或いは携帯電話等の情報処理装置であり、８００及び８１０は印刷装置（プリントサービス）である。
【００３２】
６００はインターネットであり、６０２はインターネット６００と画像情報管理装置（画像ゲートウェイ）４００を接続するネットワークであり、６０４はインターネット６００と情報処理装置（クライアントコンピュータ）５００を接続するネットワークである。また、６０６はインターネット６００と印刷装置（プリントサービス）８００を接続するネットワークであり、６０８はインターネット６００と印刷装置８１０を接続するネットワークである。そして、６１０、６２０及び６３０は、インターネット６００に接続され、各種コンテンツ情報を格納配布するＷＷＷサーバであり、７００は電話基地局等の携帯電話網を含むパケット網であり、７０２はパケット網７００と画像情報管理装置（画像ゲートウェイ）４００を接続するネットワークである。
【００３３】
撮像装置１００は、パケット網７００、ネットワーク７０２、画像情報管理装置４００、ネットワーク６０２及びインターネット６００を介して、ＷＷＷサーバ６１０、ＷＷＷサーバ６２０、ＷＷＷサーバ６３０、情報処理装置５００、印刷装置８００或いは印刷装置８１０等の各種ネットワーク機器と、画像やコマンドの送受をすることが可能に構成されている。
【００３４】
＜撮像装置１００の構成＞
次に、図２及び図３を用いて、前述した撮像装置１００の構成について説明する。なお、図２及び図３は、図１に示した撮像装置１００の構成を示すブロック図である。
【００３５】
図中の１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。１８はタイミング発生回路であり、メモリ制御回路２２及びシステム制御回路５０により制御され、撮像素子１４、Ａ／Ｄ変換器１６、及びＤ／Ａ変換器２６にクロック信号や制御信号を供給する。
【００３６】
２０は画像処理回路であり、Ａ／Ｄ変換器１６或いはメモリ制御回路２２からのデータに対して所定の画素補間処理や色変換処理を行う。また、画像処理回路２０においては、撮像した画像データを用いて所定の演算処理を行い、その得られた演算結果に基づいて、システム制御回路５０が露光制御部４０及び測距制御部４２に対して制御を行うためのＴＴＬ（スルー・ザ・レンズ）方式のＡＦ（オートフォーカス）処理、ＡＥ（自動露出）処理、及びＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００３７】
２２はメモリ制御回路であり、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。Ａ／Ｄ変換器１６のデータが、画像処理回路２０及びメモリ制御回路２２を介して、或いは直接メモリ制御回路２２を介して、画像表示メモリ２４或いはメモリ３０に書き込まれる。
【００３８】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００３９】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速且つ大量の画像書き込みをメモリ３０に対して行うことが可能となる。また、メモリ３０はシステム制御回路５０の作業領域としても使用することが可能である。
【００４０】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００４１】
３４は暗号／復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。なお、暗号化処理を行った画像データは、画像情報管理装置（画像ゲートウェイ）４００の備える暗号／復号部４２２においても復号することができる。これらの暗号／復号処理動作は、後述する画像情報管理装置（画像ゲートウェイ）４００の備える課金管理部４２０での課金データベース情報と連携して実行される。
【００４２】
３６は課金管理部であり、撮影処理の実行、画像情報管理装置（画像ゲートウェイ）４００への画像データの送信、及び或いは画像情報管理装置４００からの画像データの受信に応じて、課金情報の更新管理を必要に応じて行う。４０は絞り機能を備えるシャッタ１２を制御する露光制御部であり、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリアである保護部１０２の動作を制御するバリア制御部である。４８はフラッシュであり、ＡＦ補助光の投光機能やフラッシュ調光機能も有する。
【００４３】
露光制御部４０及び測距制御部４２はＴＴＬ方式を用いて制御されており、撮像した画像データを画像処理回路２０によって演算した演算結果に基づき、システム制御回路５０が露光制御部４０及び測距制御部４２に対して制御を行う。
【００４４】
５０は撮像装置１００全体を制御するシステム制御回路であり、５２はシステム制御回路５０の動作用の定数、変数、プログラム等を記憶するメモリである。５４はシステム制御回路５０でのプログラムの実行に応じて、文字、画像、及び音声等を用いて動作状態やメッセージ等を表示する液晶表示装置やスピーカー等から成り、撮像装置１００の操作部近辺の視認し易い位置に単数或いは複数個所設置され、例えばＬＣＤやＬＥＤ、発音素子等の組み合わせにより構成されている。
【００４５】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示、等がある。
【００４６】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタスピード表示、絞り値表示、露出補正表示、記録媒体書き込み動作表示、等がある。
【００４７】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４８】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４９】
５６は電気的に消去・記録可能な不揮発性メモリであり、例えばＥＥＰＲＯＭやフラッシュメモリ等が用いられる。５８は識別情報格納部であり、通信部１１０、アンテナ１１２、パケット網７００、及びネットワーク７０２を介して画像情報管理装置４００と通信を行う際に認証を行うため、或いは撮影画像データの格納／取り出しを行う際に課金管理を行うための各種識別情報が格納されている。これらの識別情報は、画像情報管理装置４００において、撮像装置１００に対して各種サービスを行う際の課金情報データベースを更新する際に用いられる。
【００５０】
６０、６２、６４、７０及び７２は、システム制御回路５０の各種の動作指示を入力するための操作部材であり、スイッチやダイアル、タッチパネル、視線検知によるポインティング、音声認識装置等の単数或いは複数の組み合わせで構成される。
【００５１】
ここで、これらの操作部材の具体的な説明を行う。６０は電源スイッチ（メインスイッチ）であって、撮像装置１００の電源のオン／オフの各モードを切り替え設定するためのスイッチであり、また、撮像装置１００に接続された各種付属装置の電源のオン／オフの設定も併せて切り替え設定することができる。
【００５２】
６２はシャッタスイッチＳＷ１であり、不図示のシャッタボタンの操作途中でオンとなり、ＡＦ（オートフォーカス）処理や、ＡＥ（自動露出）処理、ＡＷＢ（オートホワイトバランス）処理、ＥＦ（フラッシュプリ発光）処理等の動作開始を指示する。６４はシャッタスイッチＳＷ２であって、不図示のシャッタボタンの操作完了でオンとなり、撮像素子１４から読み出した信号をＡ／Ｄ変換器１６及びメモリ制御回路２２を介してメモリ３０に画像データを書き込む露光処理と、画像処理回路２０やメモリ制御回路２２での演算を用いた現像処理と、メモリ３０から画像データを読み出し、圧縮・伸長回路３２で圧縮を行い、記録媒体２００に画像データを書き込む記録処理という一連の処理の動作開始を指示するためのスイッチである。
【００５３】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示オン／ＯＦＦボタン、圧縮モードスイッチ、撮影直後に撮影した画像データを画像表示部２８を用いて自動再生表示するクイックレビュー機能を設定するクイックレビュースイッチ、撮影／再生／通信を実行する際に各種機能の選択及び切り替えを設定する選択／切り替えスイッチ、及び撮影／再生／通信を実行する際に各種機能の決定及び実行を設定する決定／実行スイッチ等がある。
【００５４】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。ＪＰＥＧ圧縮のモードは、例えばノーマルモードとファインモードが用意されている。撮像装置１００の利用者は、撮影した画像のデータサイズを重視する場合はノーマルモードを、撮影した画像の画質を重視する場合はファインモードを、それぞれ選択して撮影を行うことになる。
【００５５】
ＪＰＥＧ圧縮のモードに於いては、撮像素子１４からＡ／Ｄ変換器１６、画像処理回路２０、及びメモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行う。
【００５６】
ＣＣＤＲＡＷモードでは、撮像素子１４の色フィルタの画素配列に応じてライン毎にそのまま画像データを撮像素子１４から読み出した後に、Ａ／Ｄ変換器１６及びメモリ制御回路２２を介して、メモリ３０に書き込まれた画像データを読み出し、必要に応じて暗号／復号回路３４により所定の暗号化処理を行った後、記録媒体２００に記録を行う。
【００５７】
７２はモードダイアルスイッチであって、自動撮影モード、撮影モード、パノラマ撮影モード、再生モード、マルチ画面再生・消去モード、及びＰＣ接続モード等の各機能モードを切り替え設定するためのスイッチである。
【００５８】
なお、本実施形態の説明においては、特に、撮影モード、再生モード、及びプリントサービスモードを撮像装置１００が備える構成としている。
【００５９】
８０は電源制御部であり、電池検出回路やＤＣ−ＤＣコンバータ、通電するブロックを切り替えるスイッチ回路等により構成されており、電池の装着の有無、電池の種類及び電池残量の検出を行い、検出結果及びシステム制御回路５０の指示に基づいてＤＣ−ＤＣコンバータを制御し、必要な電圧を必要な期間、記録媒体を含む各部へ供給する。
【００６０】
８２，８４はコネクタ、８６はアルカリ電池やリチウム電池等の一次電池と、ＮｉＣｄ電池やＮｉＭＨ電池、Ｌｉ−ｉｏｎ電池等の二次電池と、ＡＣアダプター等からなる電源部である。
【００６１】
９０はメモリカードやハードディスク等の記録媒体とのインタフェース、９２はメモリカードやハードディスク等の記録媒体と接続を行うコネクタである。１０２は保護部材であり、撮像装置１００のレンズ１０を含む撮像部を覆うことにより、撮像部の汚れや破損を防止するバリアである。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、及び露出補正表示などが設置されている。
【００６２】
１１０は携帯電話通信機能を有する通信部であり、この携帯電話通信機能としては、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等を用いる。１１２はアンテナ（或いはコネクタ）であり、通信部１１０により撮像装置１００を、パケット網７００及びネットワーク７０２を介して画像情報管理装置４００と接続する、さらにネットワーク６０２及びインターネット６００を介して他の機器と接続する際のアンテナ（或いは有線通信の場合はコネクタ）である。
【００６３】
１１４は、ブルーツゥース（Ｂｌｕｅｔｏｏｔｈ）などの無線通信機能通信部である。また、通信部１１４は、ＲＳ２３２ＣやＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、Ｐ１２８４、ＳＣＳＩ（Ｓｍａｌｌ  Ｃｏｍｐｕｔｅｒ  Ｓｙｓｔｅｍ  Ｉｎｔｅｒｆａｃｅ）、モデム、ＬＡＮ（Ｌｏｃａｌ  Ａｒｅａ  Ｎｅｔｗｏｒｋ）等の有線通信、ＩｒＤＡ（Ｉｎｆｒａｒｅｄ  Ｄａｔａ  Ａｓｓｏｃｉａｔｉｏｎ）などの赤外線通信、光通信等の各種通信機能を有する構成としても良い。１１６はアンテナ（或いはコネクタ）であり、通信部１１４により撮像装置１００を印刷装置８００等の他の機器と接続する際のアンテナ（或いは有線通信の場合はコネクタ）である。
【００６４】
２００は、メモリカードやハードディスク等の記録媒体である。記録媒体２００は、半導体メモリや磁気ディスク等から構成される記録部２０２、撮像装置１００とのインタフェース２０４、及び撮像装置１００と接続を行うコネクタ２０６を備えている。なお、記録媒体２００は本実施形態では撮像装置１００に内蔵される構成として説明している。
【００６５】
＜画像情報管理装置４００の構成＞
次に、図４を用いて、前述した画像情報管理装置（画像ゲートウェイ）４００について説明する。図４は、図１に示した画像情報管理装置４００の構成を示すブロック図である。
【００６６】
図中の４０２は画像情報管理装置全体の制御を司る制御部である。４０４は記憶部であり、制御部４０２が各種アプリケーション等を実行する主記憶メモリである。一般的には、ＳＤＲＡＭ、ＲＤＲＡＭ等が用いられる。４０６は、液晶表示装置やスピーカー等により構成される表示部であり、制御部４０２でのプログラム実行に応じて必要な文字や画像、音声等の表示を行う。
【００６７】
４０８は、キーボードやマイク等により構成される操作部であり、画像情報管理装置４００の動作に必要な各種の設定の入力や、制御部４０２に対する各種動作指示の入力を行う。４１０は、制御部４０２が動作を行う上での複数のアプリケーションを蓄積しておく記録部であり、前述の制御部４０２の管理下にあり、一般的には、ハードディスク等が用いられる。
【００６８】
４１２はバスであり、制御部４０２、記憶部４０４、表示部４０６、操作部４０８、記録部４１０、通信部４１４、通信部４１６、画像格納部４１８、及び課金管理部４２０が接続され、制御部４０２が処理したデータを各ユニットに転送したり、各ユニット間同士でデータを高速に転送（ＤＭＡ転送）するためのものである。
【００６９】
４１４は画像情報管理装置４００をネットワーク７０２に接続するためのネットワーク部であり、ネットワークとのデータの送受信を行うためのものである。接続するネットワークは、一般的にはイーサネット（登録商標）等が挙げられる。画像情報管理装置４００は、ネットワーク部４１４及びネットワーク７０２を介して、電話基地局等の携帯電話網を含むパケット網７００に接続することが可能である。
【００７０】
４１６は画像情報管理装置４００をネットワーク６０２に接続するためのネットワーク部であり、ネットワークとのデータの送受信を行うためのものである。接続するネットワークは、一般的にはイーサネット（登録商標）等が挙げられる。画像情報管理装置４００は、通信部４１６及びネットワーク６０２を介して、インターネット６００に接続することが可能である。
【００７１】
４１８は画像格納部であり、撮像装置１００から送信された撮影画像データを、パケット網７００、ネットワーク７０２、通信部４１４及びバス４１２を介して、所定領域に順次格納する。また、画像格納部４１８は、撮像装置１００或いは情報処理装置（クライアントコンピュータ、携帯情報機器或いは携帯電話等）５００からの依頼に応じて、画像格納部４１８の所定領域に格納された撮影画像データを順次読み出し、バス４１２、通信部４１４、ネットワーク７０２、及びパケット網７００を介して、或いは、バス４１２、通信部４１６、ネットワーク６０２、インターネット６００、及びネットワーク６０４を介して、送付することが可能である。なお、画像格納部４１８での画像データの格納／取り出し動作は、課金管理部４２０での課金データベース情報の管理動作と連携して実行される。
【００７２】
４２０は課金部であり、撮像装置１００で撮影された画像データを画像格納部４１８に格納する及び或いは画像格納部４１８に格納された画像データを取り出す際に、画像データを格納する或いは取り出す機器（撮像装置１００及び或いは情報処理装置５００）の識別認証を行い、その認証結果と前記画像データの格納／取り出し動作に応じて、課金管理部４２０が備える課金データベースの更新管理を行う。
【００７３】
そして、撮像装置１００及び或いは情報処理装置５００に課金を行うための課金識別情報を登録するために、撮像装置１００及び或いは情報処理装置５００から送信された識別情報を基に、課金管理部４２０が備える課金データベースを更新することができる。なお、他のＷＷＷサーバ６１０、６２０、６３０等からも画像データの格納及び或いは取り出しが可能な構成として識別認証を行い、その認証結果とこれら画像データの格納／取り出し動作とに応じて、課金管理部４２０が備える課金データベースの更新管理を行うことも可能である。さらに、他のＷＷＷサーバ６１０、６２０、６３０等と課金データベースの情報共有を行う構成としても良い。
【００７４】
また、課金管理部４２０は、撮像装置１００から送付された撮像装置１００のユーザ登録情報を格納し、登録したユーザ情報に応じて、拡張機能プログラム格納部４２４から撮像装置１００に各種拡張機能を提供する機能がある。４２２は暗号／復号部であり、撮像装置１００及び或いは情報処理装置５００から送信された画像データに対して、必要に応じて暗号化処理或いは復号化処理を行う。これらの暗号／復号処理動作は、課金管理部４２０での課金データベース情報と連携して実行される。なお、暗号化処理を行った画像データは、撮像装置１００の備える暗号／復号回路３４においても復号することが可能である。この場合も、課金管理部４２０での課金データベース情報と連携して復号処理が実行される。
【００７５】
＜印刷装置８００の構成＞
次に、図５を用いて前述した印刷装置８００の構成について説明する。
【００７６】
図５は、図１に示した印刷装置（プリントサービス）８００の構成を示すブロック図である。
【００７７】
同図中の８０２は、印刷装置８００全体の制御を司る制御部である。また、８０４は記憶部、８０６は表示部、８０８は操作部、８１０は記録部、８２２は通信部であり、それぞれ図４に示した記憶部４０４、表示部４０６、操作部４０８、記録部４１０、通信部４１４と同等の機能を有する。
【００７８】
８１２はバスであり、制御部８０２、記憶部８０４、表示部８０６、操作部８０８、記録部８１０、通信部８１４、通信部８１６、及び印刷部８２０が接続され、制御部８０２が処理したデータを各ユニットに転送したり、各ユニット間同士でデータを高速に転送（ＤＭＡ転送）する。
【００７９】
８１４は印刷装置８００をネットワーク６０６に接続するためのネットワーク部であり、ネットワーク６０６とのデータの送受信を行うためのものである。接続するネットワークは、一般的にはイーサネット（登録商標）等が挙げられる。印刷装置８００は、ネットワーク部８１４及びネットワーク６０６を介して、インターネット６００に接続することが可能である。
【００８０】
８１６は暗号／復号部であり、撮像装置１００、情報処理装置５００及び或いは画像情報管理装置４００から送信された画像データに対して、必要に応じて暗号化処理或いは復号化処理を行う。これらの暗号／復号処理動作は、画像情報管理装置４００が備える課金管理部４２０での課金データベース情報と連携して実行される。
【００８１】
８１８は圧縮／伸長部であり、撮像装置１００、情報処理装置５００及び或いは画像情報管理装置４００から送信された画像データに対して、必要に応じて圧縮処理或いは伸長処理を行う。
【００８２】
８２０は印刷部であり、撮像装置１００、情報処理装置５００及び或いは画像情報管理装置４００から送信された撮影画像データを、ネットワーク６０６、通信部８１４及びバス８１２を介して受信して記憶部８０４及び或いは記録部８１０に格納し、格納した画像データを読み出して、印刷部８２０により印刷を行うことが可能である。なお、印刷部８２０での画像データの印刷動作は、画像情報管理装置４００が備える課金管理部４２０に格納した識別情報（撮像装置固有識別情報）の管理動作と連携して実行される。
【００８３】
８２４はアンテナ（或いはコネクタ）であって、通信部８２２により印刷装置８００を他の機器と接続する際のアンテナ（或いは有線通信の場合はコネクタ）である。８２６は識別情報格納部であって、個々の印刷装置８００を特定して管理するために設定記憶される固有識別情報である。この識別情報を他の機器に通知することにより、印刷装置８００は、他の機器との間でコマンドやデータをやりとりすることが可能になる。
【００８４】
＜撮像装置１００の動作＞
次に、図６乃至図１３のフローチャートを参照して、第１実施形態に係る撮像装置１００の動作を説明する。なお、図６乃至図１３のフローチャートに従ったプログラムを例えばメモリ５２に格納しシステム制御回路５０で実行することにより、以下の制御方法を実現させることが可能となる。
【００８５】
Ｉ．全体的な動作
図６は、本実施形態の撮像装置１００の主ルーチンを示すフローチャートである。
【００８６】
電池交換等の電源投入により、システム制御回路５０は、まずフラグや制御変数等を初期化すると共に、撮像装置１００各部の初期化処理を行う（ステップＳ１００１）。次に、システム制御回路５０は、電源スイッチ６０の設定位置を判断し（ステップＳ１００２）、電源スイッチ６０が電源ＯＦＦに設定されていたならば、各表示部５４，２８の表示を終了状態に変更し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１００３）、ステップＳ１００２に戻る。
【００８７】
電源スイッチ６０が電源オンに設定されていたならば（ステップＳ１００２）、ステップＳ１００４に進む。ステップＳ１００４では、システム制御回路５０は、電源制御部８０により、電池等で構成される電源８６の残容量や動作状況を調べて撮像装置１００の動作に問題があるか否かを判断し、問題があるならば表示部５４及び画像表示部２８を用いて画像や音声により所定の警告表示を行った後（ステップＳ１００５）、ステップＳ１００２に戻る。
【００８８】
電源８６に問題が無いならば（ステップＳ１００４）、ステップＳ１００６に進む。ステップＳ１００６では、システム制御回路５０は、識別情報５８及び或いは不揮発性メモリ５６の所定領域に格納された課金登録実行フラグの状態を判断し、撮像装置１００が画像情報管理装置４００の提供する各種サービスを享受するために必要な課金情報の登録が行われているかどうかを判断する。
【００８９】
課金登録実行フラグが解除されていたならば、システム制御回路５０は、まだ課金登録が実行されていないと判断して（ステップＳ１００６）、画像情報管理装置４００の備える課金管理部４２０に対して必要な課金管理情報を登録する課金登録処理を実行して（ステップＳ１００７）、ステップＳ１００８に進む。この課金登録処理（ステップＳ１００７）の詳細は図７を用いて後述する。
【００９０】
システム制御回路５０は、システム制御回路５０の内部メモリ或いはメモリ５２に記憶されたエラーフラグの状態を判断し（ステップＳ１００８）、課金登録処理（ステップＳ１００７）の実行の結果として、エラーフラグが設定されていたならば、表示部５４及び或いは画像表示部２８を用いて画像や音声により所定の警告表示を行った後に（ステップＳ１００９）、ステップＳ１００２に戻る。
【００９１】
課金登録処理（ステップＳ１００７）の実行の結果として、エラーフラグが設定されていなかったならば（ステップＳ１００８）、システム制御回路５０は、課金登録処理（ステップＳ１００７）が正常に終了したと判断し、一連の処理を終えてステップＳ１００２に戻る。
【００９２】
一方、ステップＳ１００６において、課金登録実行フラグが設定されていたならば、システム制御回路５０は、既に課金登録が実行されたと判断して、ステップＳ１０１０に進む。ステップＳ１０１０では、システム制御回路５０は、表示部５４を用いて画像や音声により撮像装置１００の各種設定状態の表示を行う。なお、画像表示部２８の画像表示がオンであったならば、画像表示部２８も用いて画像や音声により撮像装置１００の各種設定状態の表示を行う。
【００９３】
続くステップＳ１０１１では、システム制御回路５０は、モードダイアル７２の設定位置を判断し、モードダイアル７２が撮影モードに設定されていなかったならば、ステップＳ１０１３に進む。また、モードダイアル７２が撮影モードに設定されていたならば（ステップＳ１０１１）、システム制御回路５０は、画像を撮影すると共に必要に応じて画像情報管理装置４００に送付格納（アップロード）する撮影モード処理を実行し（ステップＳ１０１２）、処理を終えたならばステップＳ１００２に戻る（図１のＴ１を参照）。この撮影モード処理（ステップＳ１０１２）の詳細は図８を用いて後述する。
【００９４】
撮影モード処理（ステップＳ１０１２）においては、画像情報管理装置４００に送付格納（アップロード）した撮影画像データを所定の印刷装置８００に転送してプリントし、出来上がったプリントを受け取るために用いる引換情報が画像情報管理装置４００から返送される（図１のＴ２を参照）。ステップＳ１０１７のプリントサービスモードで後述するように、撮像装置１００は、印刷装置８００が設置されたプリントラボを訪れた際に、印刷装置８００からの問い合わせに応じて、この引換情報を印刷装置８００に送信することにより、画像情報管理装置４００に送付格納（アップロード）した画像をプリントして受け取ることができる。
【００９５】
ステップＳ１０１３において、システム制御回路５０は、モードダイアル７２の設定位置を判断し、モードダイアル７２が再生モードに設定されていなかったならば、ステップＳ１０１５に進む。モードダイアル７２が再生モードに設定されていたならば（ステップＳ１０１３）、撮影した画像データの概略画像データを再生表示すると共に必要に応じて、画像情報管理装置４００から詳細画像データの取り出し（ダウンロード）を行う再生モード処理を実行し（ステップＳ１０１４）、処理を終えたならばステップＳ１００２に戻る。この再生モード処理（ステップＳ１０１４）の詳細は図１２を用いて後述する。
【００９６】
上記のように、撮像装置１００の利用者は、撮像装置１００を携帯して撮影、再生、通信を随時行うことが可能であり、撮影した画像データを画像情報管理装置４００に送付格納し、格納した画像データを印刷装置８００に転送して写真プリントを行うことが可能である。ここで、撮像装置１００の利用者は、撮像装置１００を、印刷装置８００が備えられたプリントラボ業者に持ち込むことにより、撮像装置１００と印刷装置８００が所定の空間距離内に位置することができる。この結果、撮像装置１００と印刷装置８００は、通信部１１４、アンテナ１１６、アンテナ８２４、及び通信部８２２を介して、Ｂｌｕｅｔｏｏｔｈなどの無線通信による交信を行うことが可能となる。このようなＢｌｕｅｔｏｏｔｈなどの無線通信が可能な空間状態において（図１８参照）、撮像装置１００は、図１６のステップＳ３１１において後述する印刷装置８００からの撮像装置問い合わせを受けることが可能となる。
【００９７】
ステップＳ１０１５において、アンテナ１１６及び通信部１１４を介して、印刷装置８００からコマンドやデータの受信が無かったならば、ステップＳ１００２に戻る。アンテナ１１６及び通信部１１４を介して、印刷装置８００からコマンドやデータの受信があったならば（ステップＳ１０１５）、システム制御回路５０は、受信したコマンドやデータの内容を判断する（ステップＳ１０１６）。受信したコマンドやデータを解析した結果、印刷装置８００からの問い合わせではなく、その他のコマンドやデータの受信であったならば、システム制御回路５０は、受信した内容に応じた処理を実行し（ステップＳ１０１８）、処理を終えたならば、ステップＳ１００２に戻る。
【００９８】
受信したコマンドやデータを解析した結果、印刷装置８００からの問い合わせであったならば（ステップＳ１０１６）、ステップＳ１０１７に進む（図１において、Ｔ４を参照）。ステップＳ１０１７では、システム制御回路５０は、ステップＳ１０１２での撮影モードにおいて画像情報管理装置４００から返送された引換情報を印刷装置８００に対して返信し、画像情報管理装置４００に送付格納（アップロード）した撮影画像データの印刷要求を行う、或いは印刷されたプリントの受け取りを要求するプリントサービスモード処理を実行し、処理を終えたならばステップＳ１００２に戻る（図１において、Ｔ５を参照）。このプリントサービスモード処理（ステップＳ１０１７）の詳細は図１３を用いて後述する。
【００９９】
要するに、プリントサービスモード処理（ステップＳ１０１７）では、撮像装置１００の使用者は、ステップＳ１０１２の撮影モード処理において撮影して画像情報管理装置４００に送信格納した撮影画像データの写真プリントを購入受け取りするためにプリントラボ業者の店頭を訪れたとき、印刷装置８００からの撮像装置問い合わせを受ける。この撮像装置問い合わせに応じて、画像情報管理装置４００から送付された引換情報を印刷装置８００に返信することにより、画像情報管理装置４００から印刷装置８００に転送された画像データのプリントを印刷装置８００に依頼し、印刷した写真プリントを受け取ることができる（図１８参照）。
【０１００】
一方、印刷装置８００は、画像情報管理装置４００から転送された撮像装置１００の画像データを受信して印刷することが可能である。また、印刷装置８００は、画像情報管理装置４００から引換情報を識別する情報を印刷画像データと共に受信し、画像情報管理装置４００から受信した引換情報を識別する情報と、撮像装置１００から受信した引換情報とを照合することができる。照合の結果、問題が無ければ、印刷装置８００（或いは印刷装置８００の作業者）は、印刷した写真プリントを撮像装置１００の使用者に引き渡すことができる。
【０１０１】
そして、照合結果を画像情報管理装置４００に通知し、画像情報管理装置４００が備える課金管理部４２０の課金データベースの内容を更新することができる。なお、印刷した写真プリント代金の支払い方法は、画像情報管理装置４００が備える課金管理部４２０の課金データベースの内容を更新する方法を採る代わりに、プリントラボ業者の作業員が撮像装置１００の使用者から店頭で直接支払いを受ける方法を用いても構わないし、或いは課金データベースの内容を更新する方法と店頭で直接支払いを受ける方法を併用しても構わない。
【０１０２】
ＩＩ．課金登録処理の詳細
図７は、図６のステップＳ１００７における課金登録処理の詳細を示すフローチャートである。
【０１０３】
この課金登録処理においては、まずシステム制御回路５０は、画像表示部２８に課金登録画面を表示して（ステップＳ１９０１）、ステップＳ１９０２に進む。
【０１０４】
ここで、撮像装置１００の使用者によって、操作部７０が備える選択／切り替えスイッチ及び決定／実行スイッチ等の操作により、課金登録入力項目の選択が行われたならば（ステップＳ１９０２）、システム制御回路５０は、画像表示部２８に表示する課金登録入力画面の表示を課金登録入力項目の選択に応じて切り替えて（ステップＳ１９０３）、ステップＳ１９０４に進む。
【０１０５】
システム制御回路５０は、撮像装置１００の使用者によって、表示した課金登録入力画面に対応して操作部７０等の操作により入力された課金登録情報を受け付け（ステップＳ１９０４）、受け付けた課金登録入力情報に問題が無かったならば（ステップＳ１９０５）、システム制御回路５０の内部メモリ或いはメモリ５２に記憶して（ステップＳ１９０６）、ステップＳ１９０７に進む。
【０１０６】
続けて次の課金登録項目を入力する場合は（ステップＳ１９０７）、ステップＳ１９０２に戻って処理を続ける。なお、課金登録入力情報としては、氏名、住所、年齢、性別、職業、及び趣味などがある。
【０１０７】
ここで、撮像装置１００が、撮影した画像データを画像情報管理装置４００に送信し、送信した画像データを画像情報管理装置４００から印刷装置に転送させて印刷を行わせるために、何れの印刷装置を印刷先に指定するかを初期設定する際に、ステップＳ１９０４において入力された住所情報を用いて初期設定するようにしても良い。また、ステップＳ１９０４において入力された住所情報を用いて、何れの印刷装置を印刷先に指定するかという選択の候補を設定するようにしても良い。
【０１０８】
なお、課金登録入力情報として、撮影する主要被写体の情報を入力するようにしても良い。主要被写体の情報は、例えば、スポーツ撮影やポートレート撮影、風景撮影などの情報、屋外撮影や屋内撮影、夜景撮影などの情報、及びそれらの組み合わせの撮影情報などが挙げられる。
【０１０９】
こうして必要な課金登録項目の入力が終了したならば（ステップＳ１９０７）、ステップＳ１９０８に進む。
【０１１０】
ステップＳ１９０８では、システム制御回路５０は、識別情報５８から課金登録に必要な機器固有情報を読み出すと共に、ステップＳ１９０６でシステム制御回路５０の内部メモリ或いはメモリ５２に記憶した課金入力内容を読み出して（ステップＳ１９０９）、通信部１１０、アンテナ１１２、パケット網７００、及びネットワーク７０２を介して、画像情報管理装置４００に機器固有情報及び課金入力内容を送信する課金登録情報送信処理を行う（ステップＳ１９１０）。
【０１１１】
ここで、課金登録に用いられる機器固有情報としては、撮像装置１００の製造者コード、機種コード、シリアルナンバー及び装備する機能に関する情報、等のほか、撮像装置１００のこれまでの使用者の登録状態や、撮像装置１００のこれまでの使用状態を伝える撮影履歴情報、等がある。
【０１１２】
ステップＳ１９１０での課金登録情報送信処理に際して、画像情報管理装置４００からエラー通知が無かったならば（ステップＳ１９１１）、当該課金登録処理ルーチンを終了する。
【０１１３】
画像情報管理装置４００からエラー通知があったならば（ステップＳ１９１１）、システム制御回路５０は、表示部５４及び或いは画像表示部２８を用いて画像や音声により所定の警告表示を行った後に（ステップＳ１９１２）、当該課金登録処理ルーチンを終了する。
【０１１４】
このような課金登録処理を行うことにより、撮像装置１００は画像情報管理装置４００が提供する各種サービスを享受することが可能となる。
【０１１５】
ＩＩＩ．撮影モード処理の詳細
図８及び図９は、図６のステップＳ１０１２における撮影モード処理の詳細を示すフローチャートである。
【０１１６】
システム制御回路５０は、操作部７０が備える各種スイッチの操作により、ユーザによって撮影に関する各種設定の変更が行われたならば（ステップＳ１１０１）、変更された内容に応じて、撮影に関する動作設定を変更する（ステップＳ１１０２）。システム制御回路５０は、シャッタスイッチＳＷ１が押されていないならば（ステップＳ１１０３）、撮影モード処理ルーチン（ステップＳ１０１２）を終了する。
【０１１７】
シャッタスイッチＳＷ１が押されたならば（ステップＳ１１０３）、システム制御回路５０は、測距処理を行って撮影レンズ１０の焦点を被写体に合わせ、測光処理を行って絞り値及びシャッタ時間を決定する（ステップＳ１１０４）。測光処理に於いて、必要であればフラッシュの設定も行う。この測距・測光処理（ステップＳ１１０４）の詳細は図１０を用いて後述する。
【０１１８】
シャッタスイッチＳＷ２が押されずに（ステップＳ１１０５）、さらにシャッタスイッチＳＷ１も解除されたならば（ステップＳ１１０６）、撮影モード処理ルーチン（上記図６のステップＳ１０１２）を終了する。
【０１１９】
シャッタスイッチＳＷ２が押されたならば（ステップＳ１１０５）、システム制御回路５０は撮影処理を実行する（ステップＳ１１０７）。この撮影処理は、撮像素子１４、Ａ／Ｄ変換器１６、画像処理回路２０及びメモリ制御回路２２を介して（或いはＡ／Ｄ変換器１６から直接メモリ制御回路２２を介して）、撮影した画像データをメモリ３０に書き込む露光処理と、メモリ制御回路２２（そして必要に応じて画像処理回路２０）を用いて、メモリ３０に書き込まれた画像データを読み出して各種処理を行う現像処理とから成る。この撮影処理（ステップＳ１１０７）の詳細は図１１を用いて後述する。
【０１２０】
撮影処理（ステップＳ１１０７）を終えたならば、システム制御回路５０は、メモリ３０に書き込まれた撮影画像データを読み出して、メモリ制御回路２２（そして必要に応じて画像処理回路２０）を用いて所定の画素補間処理や色変換処理等の現像処理を行い、現像処理を行った画像データをメモリ３０の所定領域に格納し（ステップＳ１１０８）、ステップＳ１１０９に進む。
【０１２１】
ステップＳ１１０９では、システム制御回路５０は、メモリ３０の所定領域に格納された画像データを読み出し、圧縮・伸長回路３２を用いて、設定したモードに応じた画像圧縮処理を行った後、圧縮処理を行った画像データをメモリ３０の所定領域に格納して、ステップＳ１１１０に進む。
【０１２２】
ステップＳ１１１０では、システム制御回路５０は、メモリ３０の所定領域に格納された圧縮処理を行った画像データを読み出し、暗号／復号回路３４を用いて所定の暗号化処理を行い、処理を行った画像データをメモリ３０の所定領域に格納して、ステップＳ１１１１に進む。なお、ステップＳ１１１０において暗号化した画像データは、画像情報管理装置４００が備える暗号／復号部４２２、及び或いは印刷装置８００が備える暗号／復号部８１６によって復号することが可能である。
【０１２３】
システム制御回路５０は、シャッタスイッチＳＷ１が開放されるまで（ステップＳ１１１１）、現在の処理を繰り返す。シャッタスイッチＳＷ１が開放されたならば（ステップＳ１１１１）、ステップＳ１１２１に進む。
【０１２４】
ステップＳ１１２１では、システム制御回路５０は、メモリ３０の所定領域に格納された撮影画像データを読み出して、メモリ制御回路２２及びＤ／Ａ変換器２６を介して画像表示部２８に自動再生表示するクイックレビュー表示を行い、ステップＳ１１２２に進む。なお、このクイックレビュー表示を行う際に、システム制御回路５０は、撮影画像データを画像情報管理装置４００の画像格納部４１８に送信格納するアップロード操作の実行可否を促す画面を併せて表示する。
【０１２５】
ステップＳ１１２２では、操作部７０が備える選択／切り替えスイッチ及び決定／実行スイッチの操作によって、アップロード操作の実行が選択されたならば、ステップＳ１１２４に進む。アップロード操作の実行が選択されなかったならば（ステップＳ１１２２）、システム制御回路５０は、メモリ３０の所定領域に格納された撮影画像データを消去し（ステップＳ１１２３）、当該撮影モード処理ルーチンを終了する。
【０１２６】
ステップＳ１１２４では、システム制御回路５０は、画像表示部２８にプリントサービスの指定を行う画面を表示して、ステップＳ１１２５に進む。ステップＳ１１２５では、操作部７０が備える選択／切り替えスイッチ及び決定／実行スイッチ等の操作によって、プリントサービスの指定が行われたならば、システム制御回路５０は、指定されたプリントサービスに関する情報を設定し、システム制御回路５０の内部メモリ或いはメモリ５２に記憶して（ステップＳ１１２６）、ステップＳ１１２８に進む。
【０１２７】
プリントサービスの指定が行われなかったならば（ステップＳ１１２５）、システム制御回路５０は、初期設定のプリントサービスに関する情報を設定し、システム制御回路５０の内部メモリ或いはメモリ５２に記憶して（ステップＳ１１２７）、ステップＳ１１２８に進む。
【０１２８】
この初期設定のプリントサービスは、図７のステップＳ１９０２からステップＳ１９０７での課金登録入力処理において入力された住所情報に基づいて設定された、或いは、選択候補から選択することによって設定されたもので、これにより、撮影画像データを、画像情報管理装置４００を介して初期設定された印刷装置８００に転送し、転送した印刷装置８００によって撮影画像データの印刷を行うことが可能となる。
【０１２９】
ステップＳ１１２８では、システム制御回路５０は、システム制御回路５０の内部メモリ或いはメモリ５２に記憶したプリントサービス指定情報を付加すると共に、識別情報５８に格納する課金登録に関する情報を付加した後に（ステップＳ１１２９）、メモリ３０の所定領域に格納された撮影画像データ（詳細画像データ）を、通信部１１０、アンテナ１１２、パケット網７００及びネットワーク７０２を介して、画像情報管理装置４００に送信して（ステップＳ１１３０：図１のＴ１を参照）、ステップＳ１１３１に進む。
【０１３０】
このように、指定されたプリントサービスに関する情報を付加して撮影画像データを送信することにより、希望する印刷装置での撮影画像データの印刷が可能となる。
【０１３１】
ステップＳ１１３１では、システム制御回路５０は、ステップＳ１１３０で送信した詳細画像データから作成した或いはこの詳細画像データと共に作成した概略画像データを、メモリ３０から読み出して、インタフェース９０及びコネクタ９２を介して、メモリカードやコンパクトフラッシュ（登録商標）カード等の記録媒体２００に記録して、ステップＳ１１３２に進む。ステップＳ１１３２において、システム制御回路５０は、画像情報管理装置４００からコマンドやデータを受信したならば、ステップＳ１１３３に進む。
【０１３２】
ステップＳ１１３３において、受信したコマンドやデータを判断した結果、ステップＳ１１２９からステップＳ１１３０にかけての詳細画像データ送信処理に際して、画像情報管理装置４００から送られたエラー通知でなかったならば、ステップＳ１１３５に進み、エラー通知であったならば、システム制御回路５０は、表示部５４及び或いは画像表示部２８を用いて画像や音声により所定の警告表示を行った後に（ステップＳ１１３４）、当該撮影モード処理ルーチンを終了する。
【０１３３】
受信したコマンドやデータを判断した結果、ステップＳ１１２９からステップＳ１１３０にかけての詳細画像データ送信処理に際して、画像情報管理装置４００から送られた引換情報通知でなかったならば（ステップＳ１１３５）、ステップＳ１１３２に戻り、引換情報通知であったならば、受信した引換情報をシステム制御回路５０の内部メモリ、メモリ５２、メモリ３０及び或いは記録媒体２００に格納して（ステップＳ１１３６：図１のＴ２を参照）、当該撮影モード処理ルーチンを終了する。
【０１３４】
ここで、撮影画像データを画像情報管理装置４００にアップロードし、アップロードした画像データが印刷装置８００に転送され、それらの処理が正常に行われた結果として、画像情報管理装置４００から引換情報が撮像装置１００に対して送信される構成となっている。
【０１３５】
これにより、撮像装置１００の使用者は、ステップＳ１０１２の撮影モード処理において撮影して画像情報管理装置４００に送信格納した撮影画像データの写真プリントを購入受け取りするためにプリントラボ業者の店頭を訪れ、そこで、印刷装置８００からの撮像装置問い合わせを受け、この撮像装置問い合わせに応じて、画像情報管理装置４００から送付された引換情報を印刷装置８００に返信することにより、画像情報管理装置４００から印刷装置８００に転送された画像データのプリントを印刷装置８００に依頼し、印刷した写真プリントを受け取ることができる。
【０１３６】
ＩＶ測距・測光処理の詳細
図１０は、図８のステップＳ１１０４における測距・測光処理の詳細を示すフローチャートである。
【０１３７】
この測距・測光処理においては、まずシステム制御回路５０は、撮像素子１４から電荷信号を読み出し、Ａ／Ｄ変換器１６を介して画像処理回路２０に撮影画像データを逐次読み込む（ステップＳ１２０１）。この逐次読み込まれた画像データを用いて、画像処理回路２０は、ＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１３８】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１３９】
次にシステム制御回路５０は、画像処理回路２０での演算結果を用いて、露出（ＡＥ）が適正と判断されるまで（ステップＳ１２０２）、露光制御部４０を用いてＡＥ制御を行う（ステップＳ１２０３）。さらに、ＡＥ制御で得られた測定データを用いて、フラッシュが必要か否かを判断し（ステップＳ１２０４）、フラッシュが必要ならばフラッシュフラグをセットし、フラッシュ４８を充電する（ステップＳ１２０５）。
【０１４０】
一方、露出（ＡＥ）が適正と判断したならば（ステップＳ１２０２）、測定データ及び或いは設定パラメータをシステム制御回路５０の内部メモリ或いはメモリ５２に記憶する。続いて、システム制御回路５０は、画像処理回路２０での演算結果及びＡＥ制御で得られた測定データを用いて、ホワイトバランス（ＡＷＢ）が適正と判断されるまで（ステップＳ１２０６）、画像処理回路２０を用いて色処理のパラメータを調節してＡＷＢ制御を行う（ステップＳ１２０７）。
【０１４１】
ホワイトバランス（ＡＷＢ）が適正と判断したならば（ステップＳ１２０６）、測定データ及び或いは設定パラメータをシステム制御回路５０の内部メモリ或いはメモリ５２に記憶する。その後、システム制御回路５０は、ＡＥ制御及びＡＷＢ制御で得られた測定データを用いて、測距（ＡＦ）が合焦と判断されるまで（ステップＳ１２０８）、測距制御部４２を用いてＡＦ制御を行う（ステップＳ１２０９）。
【０１４２】
測距（ＡＦ）が合焦と判断したならば（ステップＳ１２０８）、測定データ及び或いは設定パラメータをシステム制御回路５０の内部メモリ或いはメモリ５２に記憶し、当該測距・測光処理ルーチンを終了する。
【０１４３】
Ｖ．撮影処理の詳細
図１１は、図８のステップＳ１１０７における撮影処理の詳細を示すフローチャートである。
【０１４４】
この撮影処理では、まずシステム制御回路５０は、システム制御回路５０の内部メモリ或いはメモリ５２に記憶される測光データに従い、露光制御部４０によって、絞り機能を有するシャッタ１２を絞り値に応じて開放して撮像素子１０を露光する（ステップＳ１３０１、Ｓ１３０２）。
【０１４５】
続いて、フラッシュ・フラグによりフラッシュ４８が必要か否かを判断し（ステップＳ１３０３）、必要な場合はフラッシュを発光させる（ステップＳ１３０４）。
【０１４６】
システム制御回路５０は、測光データに従って撮像素子１４の露光終了を待ち（ステップＳ１３０５）、シャッタ１２を閉じて（ステップＳ１３０６）、撮像素子１４から電荷信号を読み出し、Ａ／Ｄ変換器１６、画像処理回路２０及びメモリ制御回路２２を介して、或いはＡ／Ｄ変換器１６から直接メモリ制御回路２２を介して、メモリ３０に撮影画像のデータを書き込む（ステップＳ１３０７）。一連の処理を終えたならば、当該撮影処理ルーチンを終了する。
【０１４７】
ＶＩ．再生モード処理の詳細
図１２は、図６のステップＳ１０１４における再生モード処理の詳細を示すフローチャートである。
【０１４８】
この再生モード処理では、まずシステム制御回路５０は、選択した概略画像データを、メモリ３０の所定領域から、或いは記録媒体２００よりメモリ３０の所定領域に格納してから読み込み（ステップＳ１４０１）、暗号／復号回路３４によって所定の復号処理を行い（ステップＳ１４０２）、圧縮／伸長回路３２によって所定の伸長処理を行った後（ステップＳ１４０３）、処理を行った概略画像データを、メモリ制御回路２２及びＤ／Ａ変換器２６を介して、画像表示部２８により表示して（ステップＳ１４０４）、ステップＳ１４０５に進む。
【０１４９】
ステップＳ１４０５では、システム制御回路５０は、操作部７０によって、ステップＳ１４０４で表示した概略画像データに対応した詳細画像データを表示する設定がなされなかったならば、ステップＳ１４１４に進み、詳細画像データを表示する設定がなされたならば、ステップＳ１４０６に進む。
【０１５０】
ステップＳ１４０６では、システム制御回路５０は、通信部１１０、アンテナ１１２、パケット網７００、及びネットワーク７０２を介して、画像情報管理装置４００にダウンロード要求通知を送信して、ステップＳ１４０７に進む。なお、ダウンロード要求通知の送信に際しては、課金登録情報を付加して送信することにより、画像情報管理装置４００は受信したダウンロード要求通知の発信先を識別すると共に、ダウンロードの可否を判定することが可能となる。
【０１５１】
ステップＳ１４０７では、画像情報管理装置４００からコマンドやデータを受信したか否かを判断し、受信したならばステップＳ１４０８に進み、コマンドやデータを受信しないならば、ステップＳ１４１４に進む。ステップＳ１４０８において、ステップＳ１４０６でのダウンロード要求通知処理に際して画像情報管理装置４００からエラー通知が無かったならば、ステップＳ１４１０に進み、エラー通知があったならば、システム制御回路５０は、表示部５４及び或いは画像表示部２８を用いて画像や音声により所定の警告表示を行った後に（ステップＳ１４０９）、当該再生モード処理ルーチンを終了する。
【０１５２】
ステップＳ１４１０では、システム制御回路５０は、画像情報管理装置４００からダウンロード画像データを受信し、メモリ３０の所定領域に格納して、ステップＳ１４１１に進む。ステップＳ１４１１では、システム制御回路５０は、メモリ３０の所定領域に格納したダウンロード画像データを読み出し、暗号／復号回路３４によって所定の復号処理を行い、ステップＳ１４１２において、圧縮／伸長回路３２によって所定の伸長処理を行った後、メモリ制御回路２２（そして必要に応じて画像処理回路２０）を用いて所定の画像処理を行い、メモリ制御回路２２及びＤ／Ａ変換器２６を介して、画像表示部２８により再生表示を行って（ステップＳ１４１３）、ステップＳ１４１４に進む。
【０１５３】
次の画像をダウンロードする場合は（ステップＳ１４１４）、ステップＳ１４０１に戻り、一連の処理を繰り返す。次の画像をダウンロードしない場合は（ステップＳ１４１４）、当該再生モード処理ルーチンを終了する。
【０１５４】
ＶＩＩ．プリントサービスモード処理
図１３は、図６のステップＳ１０１７におけるプリントサービスモード処理の詳細を示すフローチャートである。
【０１５５】
このプリントサービスモードでは、処理システム制御回路５０は、まず図９のステップＳ１１３６での引換情報格納処理において、システム制御回路５０の内部メモリ、メモリ５２、メモリ３０及び或いは記録媒体２００に格納した引換情報を読み出す操作を行い（ステップＳ１５０１）、ステップＳ１５０２に進む。
【０１５６】
ステップＳ１５０２では、システム制御回路５０は、ステップＳ１５０１で読み出し操作を行った結果、引換情報が有るかどうかを判断する。読み出可能な引換情報が無かったならば（ステップＳ１５０２）、システム制御回路５０は、表示部５４及び或いは画像表示部２８を用いて画像や音声により所定の警告表示を行った後に（ステップＳ１５０３）、当該プリントサービスモード処理ルーチンを終了する。
【０１５７】
読み出可能な単数の引換情報があったならば（ステップＳ１５０２）、ステップＳ１５０７に進む。また、読み出可能な複数の引換情報があったならば（ステップＳ１５０２）、システム制御回路５０は、表示部５４及び或いは画像表示部２８により、複数の引換情報を選択可能とする引換情報選択画面を表示して（ステップＳ１５０４）、ステップＳ１５０５に進む。
【０１５８】
ステップＳ１５０５では、撮像装置１００の使用者によって、操作部７０が備える選択／切り替えスイッチ及び決定／実行スイッチが操作され、何れかの引換情報が選択されたならば、システム制御回路５０は、引換情報を選択決定して（ステップＳ１５０６）、ステップＳ１５０７に進んで印刷装置８００に引換情報を送信し（図１のＴ５を参照）、ステップＳ１５０８に進む。
【０１５９】
ステップＳ１５０７の引換情報送信に際して、印刷装置８００から、通信部８２２、アンテナ８２４、アンテナ１１６及び通信部１１４を介して、エラー通知があったならば（ステップＳ１５０８）、システム制御回路５０は、表示部５４及び或いは画像表示部２８を用いて画像や音声により所定の警告表示を行った後に（ステップＳ１５０９）、プリントサービスモード処理ルーチンを終了する。
【０１６０】
前記エラー通知が無かったならば（ステップＳ１５０８）、システム制御回路５０は、印刷装置８００に送信済みの引換情報をシステム制御回路５０の内部メモリ、メモリ５２、メモリ３０及び或いは記録媒体２００から消去して（Ｓ１５１０）、プリントサービスモード処理ルーチンを終了する。
【０１６１】
このように、撮像装置１００の使用者は、図６のステップＳ１０１２の撮影モード処理において撮影して画像情報管理装置４００に送信格納した撮影画像データの写真プリントの購入受け取りを行うためにプリントラボ業者の店頭を訪れ、そこで、印刷装置８００からの撮像装置問い合わせを受け、この撮像装置問い合わせに応じて、画像情報管理装置４００から送付された引換情報を印刷装置８００に返信することにより、画像情報管理装置４００から印刷装置８００に転送された画像データのプリントを印刷装置８００に依頼し、印刷した写真プリントを受け取ることができる。
【０１６２】
＜画像情報管理装置４００の動作＞
次に、図１４及び図１５を用いて、画像情報管理装置４００の動作を説明する。図１４及び図１５は、本実施形態の画像情報管理装置４００の主ルーチンを示すフローチャートである。なお、この図１４及び図１５のフローチャートに従ったプログラムを例えば記録部４１０に格納し、制御部４０２で実行することにより、以下の制御方法を実現させることが可能となる。
【０１６３】
まず、画像情報管理装置４００の電源投入により、制御部４０２はフラグ、レジスタや制御変数などを初期化し、記録部４１０の領域の一部に格納されたオペレーティング・システム等の制御プログラムを、バス４１２を介して記憶部４０４に読み込み実行する。そして、制御部４０２は、画像情報管理装置４００の各部を初期化する（ステップＳ２０１）。
【０１６４】
制御部４０２は、撮像装置１００から、パケット網７００、ネットワーク７０２及び通信部４１４を介して、或いは、印刷装置８００から、ネットワーク６０６、インターネット６００、ネットワーク６０２及び通信部４１６を介して、コマンドやデータ等の通知があったかどうかを判断する（ステップＳ２０２）。
【０１６５】
コマンドやデータ等の通知があったならば（ステップＳ２０２）、制御部４０２は、撮像装置１００或いは印刷装置８００からコマンド、画像データ及び或いはそれらの付加情報を受信し、記憶部４０４の所定領域及び或いは記録部４１０の所定領域に格納して（ステップＳ２０３）、ステップＳ２０４に進む。
【０１６６】
受信したコマンドやデータを判断した結果、撮像装置１００から課金情報データベース（課金管理部４２０が備える）への課金登録を依頼するコマンド及び或いはデータでなかったならば（ステップＳ２０４）、ステップＳ２０７に進む。前記課金情報データベースへの課金登録を依頼するコマンド及び或いはデータであったならば（ステップＳ２０４）、制御部４０２は、受信した機器固有情報及び或いは課金入力内容を、前記課金情報データベースの所定領域に格納して登録する（ステップＳ２０５）。
【０１６７】
このように、撮像装置１００固有の識別情報を用いて、撮像装置１００のアカウントを課金情報データベースに登録することにより、課金管理部４２０での課金管理、画像格納部４１８での画像格納管理、及び暗号／復号部４２２での復号処理に連携した画像情報管理装置４００が提供する各種サービス（例えば、撮影画像データのアップロードによる画像管理サービス、及び或いは撮影画像データの印刷装置８００或いは８１０での印刷サービス）を撮像装置１００に提供することが可能となる。
【０１６８】
課金データベースへの登録が正常に行われたならば（ステップＳ２０６）、ステップＳ２０２に戻り、正常に行われなかったならば（ステップＳ２０６）、制御部４０２は、通信部４１４、ネットワーク７０２、パケット網７００を介して、撮像装置１００からの課金登録依頼に関するエラー通知を撮像装置１００に返信し（ステップＳ２１９）、ステップＳ２０２に戻る。
【０１６９】
一方、受信したコマンドやデータを判断した結果、撮像装置１００から撮影画像データのアップロードを依頼するコマンドでなかったならば（ステップＳ２０７）、ステップＳ２１７に進み、撮影画像データのアップロードを依頼するコマンドであったならば（ステップＳ２０７）、制御部４０２は、受信した課金登録情報の状態を判断する（ステップＳ２０８）。
【０１７０】
課金登録情報が正しく設定されていなかったならば（ステップＳ２０８）、制御部４０２は、ネットワーク７０２及びパケット網７００を介して、撮像装置１００からのアップロード依頼に関するエラー通知を撮像装置１００に返信し（ステップＳ２０９）、ステップＳ２０２に戻る。
【０１７１】
課金登録情報が正しく設定されていたならば（ステップＳ２０８）、制御部４０２は、撮像装置１００から、パケット網７００及びネットワーク７０２を介して画像データを受信し（ステップＳ２１０）、受信した画像データを画像格納部４１８の所定領域に記録する（ステップＳ２１１：図１のＴ１を参照。）。
【０１７２】
次に、制御部４０２は、画像データと共に送付されたプリントサービス指定情報の状態を判断する（ステップＳ２１２）。プリント指定情報が正しく設定されていなかったならば、制御部４０２は、ネットワーク７０２及びパケット網７００を介して、撮像装置１００からのアップロード依頼に関するエラー通知を撮像装置１００に返信し（ステップＳ２０９）、ステップＳ２０２に戻る。
【０１７３】
プリント指定情報が正しく設定されていたならば（ステップＳ２１２）、制御部４０２は、引換情報を識別する情報を付加した後に（ステップＳ２１３）、プリント指定情報によって指定されたプリントサービス８００に画像データを送信して（ステップＳ２１４：図１のＴ３を参照）、ステップＳ２１５に進む。ステップＳ２１５では、ステップＳ２１３からステップＳ２１４での処理に際して、プリントサービス８００からエラー通知があるか否かを判定し、エラー通知があったならば、制御部４０２は、ネットワーク７０２及びパケット網７００を介して、撮像装置１００からのアップロード依頼に関するエラー通知を撮像装置１００に返信し（ステップＳ２０９）、ステップＳ２０２に戻る。
【０１７４】
ステップＳ２１３からステップＳ２１４での処理に際して、プリントサービスからエラー通知が無かったならば（ステップＳ２１５）、制御部４０２は、撮像装置１００に対して引換情報を送信して（ステップＳ２１６：図１のＴ２を参照）、ステップＳ２０２に戻る。
【０１７５】
前述したように、撮像装置１００の利用者は、プリントラボ業者の店頭を訪れ、印刷装置８００からの撮像装置問い合わせに応じて、撮像装置１００がこの引換情報を印刷装置８００に返信することにより、画像情報管理装置４００から印刷装置８００に転送された画像データのプリントを印刷装置８００に依頼し、印刷した写真プリントを受け取ることができる。
【０１７６】
一方、印刷装置８００は、撮像装置１００から返信された引換情報に応じて、転送された画像データを受信して印刷することが可能であり、また、画像情報管理装置４００から引換情報を識別する情報を印刷画像データと共に受信し、画像情報管理装置４００から受信した引換情報を識別する情報と、撮像装置１００から受信した引換情報とを照合することができる。照合の結果、問題が無ければ、印刷装置８００及び或いは印刷装置８００の作業者は、印刷した写真プリントを撮像装置１００の使用者に引き渡すことができる。
【０１７７】
そして、照合結果を画像情報管理装置４００に通知し、画像情報管理装置４００が備える課金管理部４２０の課金データベースの内容を更新して、印刷装置８００から撮像装置１００に対する課金を要求することができる。
【０１７８】
一方、受信したコマンドやデータを判断した結果、撮像装置１００から撮影画像データのダウンロードを依頼するコマンドでなかったならば（ステップＳ２１７）、ステップＳ２２２に進み、撮影画像データのアップロードを依頼するコマンドであったならば（ステップＳ２１７）、制御部４０２は、受信した課金登録情報の状態を判断する（ステップＳ２１８）。
【０１７９】
課金登録情報が正しく設定されていなかったならば（ステップＳ２１８）、制御部４０２は、ネットワーク７０２及びパケット網７００を介して、撮像装置１００からのアップロード依頼に関するエラー通知を撮像装置１００に返信し（ステップＳ２１９）、ステップＳ２０２に戻る。
【０１８０】
課金登録情報が正しく設定されていたならば（ステップＳ２１８）、制御部４０２は、画像格納部４１８の所定領域に格納された画像データを読み出して（ステップＳ２２０）、読み出した画像データを、ネットワーク７０２及びパケット網７００を介して、撮像装置１００に送信して（ステップＳ２２１）、ステップＳ２０２に戻る。
【０１８１】
一方、受信したコマンドやデータを判断した結果、プリントサービス８００から撮像装置１００に対して課金要求を行う通知でなかったならば（ステップＳ２２２）、ステップＳ２０２に戻り、課金要求を行う通知であったならば（ステップＳ２２２：図１のＴ３を参照）、制御部４０２は、課金管理部４２０の所定領域に格納された撮像装置１００に対する課金情報を更新して（ステップＳ２２３：図１のＴ４を参照）、ステップＳ２０２に戻る。
【０１８２】
＜印刷装置８００の動作＞
次に、図１６及び図１７を用いて、印刷装置８００の動作を説明する。図１６及び図１７は、本実施形態の印刷装置８００の主ルーチンを示すフローチャートである。
【０１８３】
なお、この図１６及び図１７のフローチャートに従ったプログラムを記録部８１０に格納し、制御部８０２で実行することにより、以下の制御方法を実現させることが可能となる。
【０１８４】
まず、印刷装置８００の電源投入により、制御部８０２はフラグ、レジスタや制御変数などを初期化し、記録部８１０の領域の一部に格納されたオペレーティング・システム等の制御プログラムを、バス８１２を介して記憶部８０４に読み込み実行する。そして、制御部８０２は、印刷装置８００の各部を初期化する（ステップＳ３０１）。
【０１８５】
制御部８０２は、画像情報管理装置４００から、ネットワーク６０２、インターネット６００及びネットワーク６０６を介して、コマンドやデータ等の通知があったかどうかを判断する（ステップＳ３０２）。コマンドやデータ等の通知が無かったならば、ステップＳ３１１に進み、コマンドやデータ等の通知があったならば、制御部８０２は、画像情報管理装置４００からコマンド、画像データ及び或いはそれらの付加情報を受信し、記憶部８０４の所定領域及び或いは記録部８１０の所定領域に格納する（ステップＳ３０３）。
【０１８６】
受信したコマンドやデータを判断した結果、画像情報管理装置４００から印刷画像データを受信するコマンドでなかったならば（ステップＳ３０４）、制御部８０２は、受信したコマンドやデータの内容に応じた処理を実行して（ステップＳ３１０）、ステップＳ３０２に戻る。
【０１８７】
受信したコマンドやデータを判断した結果、画像情報管理装置４００から印刷画像データを受信するコマンドであったならば（ステップＳ３０４）、通信部４１６、ネットワーク６０２、インターネット６００、ネットワーク６０６及び通信部８１４を介して、印刷処理を行うための印刷画像データを受信し（ステップＳ３０５）、受信した印刷画像データを記憶部８０４の所定領域及び或いは記録部８１０の所定領域に順次格納すると共に（ステップＳ３０６）、印刷画像データに添付された、引換情報を識別する情報を記憶部８０４の所定領域及び或いは記録部８１０の所定領域に格納して（ステップＳ３０７：図１のＴ３を参照）、ステップＳ３０８に進む。
【０１８８】
ステップＳ３０８において、正常に受信を完了したならば、ステップＳ３０２に戻り、正常に受信を完了しなかったならば、制御部８０２は、通信部８１４、ネットワーク６０６、インターネット６００、ネットワーク６０２、及び通信部４１６を介して、ステップＳ３０５からステップＳ３０７にかけての印刷画像データ受信処理に関するエラー通知を画像情報管理装置４００に返信した後に（ステップＳ３０９）、ステップＳ３０２に戻る。
【０１８９】
撮像装置１００の利用者は、撮像装置１００を携帯して撮影、再生、通信を随時行うことが可能であり、撮影した画像データを画像情報管理装置４００に送付格納し、格納した画像データを印刷装置８００に転送して写真プリントを行うために、撮像装置１００を印刷装置８００を備えるプリントラボ業者に持ち込むことになる。これにより、図１８に示すように、撮像装置１００と印刷装置８００が所定の空間距離内に位置することができる。この結果、撮像装置１００と印刷装置８００は、通信部１１４、アンテナ１１６、アンテナ８２４及び通信部８２２を介して、Ｂｌｕｅｔｏｏｔｈなどの無線通信による交信を行うことが可能となる。このようなＢｌｕｅｔｏｏｔｈなどの無線通信が可能な空間状態において、印刷装置８００は撮像装置１００に対して撮像装置問い合わせ処理を行うことが可能となる。
【０１９０】
すなわち、ステップＳ３１１において、制御部８０２は、通信部８２２、アンテナ８２４、アンテナ１１６及び通信部１１４を介し、Ｂｌｕｅｔｏｏｔｈなどの無線通信により、撮像装置１００に対して撮像装置問い合わせを行って、ステップＳ３１２に進む。
【０１９１】
撮像装置１００から、ステップＳ３１１における撮像装置問い合わせ処理に対する回答が無かったならば（ステップＳ３１２）、ステップＳ３０２に戻る。ステップＳ３１１における撮像装置問い合わせ処理に対する回答が有ったならば（ステップＳ３１２）、制御部８０２は、受信したコマンドやデータの内容が撮像装置１００から返信された引換情報であるか否かを判断する（ステップＳ３１３）。
【０１９２】
受信したコマンドやデータの内容を判断した結果、撮像装置１００から返信された引換情報でなかったならば（ステップＳ３１３）、制御部８０２は、受信した内容に応じた処理を実行して（ステップＳ３１４）、ステップＳ３０２に戻る。
【０１９３】
受信したコマンドやデータの内容を判断した結果、撮像装置１００から返信された引換情報であったならば（ステップＳ３１３）、ステップＳ３１５に進む。ステップＳ３１５において、ステップＳ３１１での撮像装置問い合わせ処理に対して回答された引換情報によって印刷を開始するよう指定された印刷画像データが、記憶部８０４の所定領域及び或いは記録部８１０の所定領域に格納されていなかったならば、ステップＳ３１８に進む。
【０１９４】
引換情報によって印刷を開始するよう指定された印刷画像データが記憶部８０４の所定領域及び或いは記録部８１０の所定領域に格納されていたならば（ステップＳ３１５）、制御部８０２は、撮像装置１００から返信された引換情報と、印刷画像データと共に画像情報管理装置から送信された引換情報を識別する情報との照合を行い（ステップＳ３１６：図１のＴ６を参照）、ステップＳ３１７に進む。
【０１９５】
引換情報と、引換情報を識別する情報との照合の結果、問題があったならば（ステップＳ３１７）、ステップＳ３１８に進み、問題が無かったならば（ステップＳ３１７）、ステップＳ３２０に進む。
【０１９６】
ステップＳ３１８において、制御部８０２は、表示部８０６を用いて画像や音声により所定の警告表示を行うと共に、ステップＳ３１９において、撮像装置１００に対して、通信部８２２、アンテナ８２４、アンテナ１１６及び通信部１１４を介して、エラー通知を返信した後に、ステップＳ３０２に戻る。
【０１９７】
制御部８０２は、記憶部８０４及び或いは記録部８１０の所定領域に格納した印刷画像データを読み出して（ステップＳ３２０）、暗号／復号部８１６によって所定の復号処理を行い（ステップＳ３２１）、さらに圧縮／伸長部８１８によって所定の伸長処理を行った後（ステップＳ３２２）、印刷部８２０により印刷情報の指示内容に応じた画像印刷処理を行い（ステップＳ３２３：図１のＴ７を参照）、次の画像を印刷する場合は（ステップＳ３２４）、ステップＳ３２０に戻り、一連の印刷処理を繰り返す。次の画像を印刷しない場合は（ステップＳ３２４）、ステップＳ３２５に進む。
【０１９８】
ステップＳ３２５では、制御部８０２は、ステップＳ３２３での印刷処理に係る課金を要求する課金要求通知を、画像情報管理装置４００に対して送信して（図１のＴ８を参照）、ステップＳ３０２に戻る。
【０１９９】
以上のように、第１実施形態によれば、撮像装置１００から画像情報管理装置４００に送付格納（アップロード）した撮影画像データ（図１のＴ１を参照）が所定の印刷装置８００に転送されてプリントされる際に、プリントを受け取るために行う照合作業に用いる引換情報が画像情報管理装置４００から返送される（図１のＴ２を参照）。
【０２００】
撮像装置１００の使用者は、撮影して画像情報管理装置４００に送信格納した撮影画像データの写真プリントを購入し受け取るためにプリントラボ業者の店頭を訪れ、そこで、印刷装置８００からの撮像装置問い合わせを受け（図１のＴ４を参照）、この撮像装置問い合わせに応じて、画像情報管理装置４００から送付された引換情報を印刷装置８００に返信することにより（図１のＴ５を参照）、画像情報管理装置４００から印刷装置８００に転送された画像データのプリントを印刷装置８００に依頼し、印刷した写真プリントを受け取ることができる。
【０２０１】
また、印刷装置８００は、画像情報管理装置４００から引換情報を識別する情報を、印刷画像データと共に受信し（図１のＴ３を参照）、画像情報管理装置４００から受信した引換情報を識別する情報と、撮像装置１００から受信した引換情報とを照合する（図１のＴ６を参照）。照合の結果、問題が無ければ、印刷装置８００及び或いは印刷装置８００の作業者は、印刷した写真プリントを撮像装置１００の使用者に引き渡すことができる（図１のＴ７を参照）。
【０２０２】
そして、照合結果を画像情報管理装置４００に通知し（図１のＴ８を参照）、画像情報管理装置４００が備える課金管理部４２０の課金データベースの内容を更新して（図１のＴ９を参照）、印刷装置８００から撮像装置１００に対する課金を要求することができる。
【０２０３】
これにより、プリントラボ業者へ撮影した画像データを送信し、印画された写真プリントを店頭で受け取る写真プリントサービスを利用する際に、本人確認等の手間を軽減することができる。また、写真プリントを受け取るためには撮像装置をプリントラボ業者の店頭に必ず持ち込む必要があり、従来のように、撮影した画像データをプリントラボ業者に送信した後、その撮像装置を自宅に持ち帰らずにその場で廃棄してしまうこともなくなり、これによって写真プリントサービスが繰り返し利用されることが期待できる。したがって、安価に販売した撮像装置のコストを回収することも可能になる。
【０２０４】
なお、印刷した写真プリント代金の支払い方法は、画像情報管理装置４００が備える課金管理部４２０の課金データベースの内容を更新する方法を採る代わりに、プリントラボ業者の作業員が撮像装置１００の使用者から店頭で直接支払いを受ける方法を用いても構わないし、或いは、課金データベースの内容を更新する方法と店頭で直接支払いを受ける方法を併用しても構わない。
【０２０５】
［第２実施形態］
図１９は、本発明の第２実施形態に係る撮像システムの全体構成を示す図である。
【０２０６】
本実施形態における撮像装置１００、画像情報管理装置４００及び印刷装置８００の構成は、第１実施形態と同様であるため、説明を省略する。
【０２０７】
本実施形態は、図１９に示すように、画像情報管理装置４００と印刷装置８００との間で送受されるコマンドと画像データの流れが第１実施形態と異なる。すなわち、印刷装置８００は、撮像装置１００から返信された引換情報（図１９のＴ４）に記述された画像データの格納先情報に基づいて、該当する画像情報管理装置４００に対して画像データの転送を要求し（図１９のＴ５）、画像情報管理装置４００から転送された撮像装置１００の画像データを受信して印刷することが可能である（図１９のＴ６，Ｔ７）。
【０２０８】
これにより、第１実施形態では、撮影画像データを画像情報管理装置４００にアップロードするときに指定したプリントサービスでなければ、印刷した写真プリントを引き取ることができなかったが、本実施形態では、撮影画像データを格納した画像情報管理装置にアクセスすることが可能なプリントサービス（印刷装置）であれば、どの場所にあるプリントサービスであっても、印刷した写真プリントを引き取ることができるようになる。
【０２０９】
以下、第１実施形態との相違点を中心にして本実施形態の動作について説明する。
【０２１０】
＜撮像装置１００の動作＞
本実施形態の撮像装置１００の動作については、第１実施形態の図６で説明したものと概ね同様であり、ただ、撮影モード処理（ステップＳ１０１２）のみが異なる。以下、この点について具体的に説明する。
【０２１１】
図２０は、第２実施形態に係る撮影モード処理（図６のステップＳ１０１２）の詳細を示すフローチャートの部分図であり、図９に代えて図８に繋げられ、本実施形態の撮影モード処理が一貫して表される。すなわち、本実施形態の撮影モード処理は、第１実施形態で説明した図８のステップＳ１１０１〜ステップＳ１１１１と同一の処理を経て、図２０のステップＳ１７２１へ移行する。
【０２１２】
図２０において、まずステップＳ１７２１〜ステップＳ１７２３では、第１実施形態の図９で説明したステップＳ１１２１〜ステップＳ１１２３とそれぞれ同じ処理を行い、その後のステップＳ１７２４〜ステップＳ１７３１では、図９で説明したステップＳ１１２９〜ステップＳ１１３６とそれぞれ同じ処理を行う。
【０２１３】
要するに、本実施形態では、プリントサービスを指定する情報を付加せずに（第１実施形態では付加していた）撮影画像データを画像情報管理装置４００にアップロードし、アップロードした画像データが画像格納部４１８の所定領域に格納され、それらの処理が正常に行われた結果として、画像情報管理装置４００から引換情報が撮像装置１００に対して送信される。
【０２１４】
なお、図８及び図２０のフローチャートに従ったプログラムを例えばメモリ５２に格納しシステム制御回路５０で実行することにより、上記制御方法を実現させることが可能となる。
【０２１５】
＜画像情報管理装置４００の動作＞
次に、図２１を用いて、本実施形態の画像情報管理装置４００の動作を説明する。
【０２１６】
図２１は、第２実施形態に係る画像情報管理装置４００の主ルーチンを示すフローチャートの部分図であり、図１５に代えて図１４に繋げられ、本実施形態に係る画像情報管理装置４００の主ルーチンのフローが一貫して表される。すなわち、本実施形態の画像情報管理装置４００の主ルーチンは、第１実施形態の図１４で説明したステップＳ２０１〜ステップＳ２０４，Ｓ２０７と同一の処理を経て図２１のステップＳ４１２へ移行すると共に、図１４のステップＳ２０１〜ステップＳ２０４，Ｓ２０７，Ｓ２１７と同一の処理を経て図２１のステップＳ４２３へ移行する。
【０２１７】
図２１において、まずステップＳ４１２〜ステップＳ４１５では、第１実施形態の図１５で説明したステップＳ２０８〜ステップＳ２１１とそれぞれ同じ処理を行う。すなわち、撮像装置１００或いは印刷装置８００から受信したコマンドやデータを判断した結果、撮像装置１００から撮影画像データのアップロードを依頼するコマンドであったならば（図１４のステップＳ２０７）、制御部４０２は、受信した課金登録情報の状態を判断する（ステップＳ４１２）。
【０２１８】
課金登録情報が正しく設定されていなかったならば（ステップＳ４１２）、ステップＳ４１３に進み、課金登録情報が正しく設定されていたならば、制御部４０２は、撮像装置１００から、パケット網７００及びネットワーク７０２を介して、画像データを受信し（ステップＳ４１４）、画像格納部４１８の所定領域に受信した画像データを記録する（ステップＳ４１５：図１９のＴ１参照）。
【０２１９】
ステップＳ４１４及びステップＳ４１５における撮像装置１００からの画像データ受信格納（アップロード）処理が正常に終了しなかったならば（ステップＳ４１６）、ステップＳ４１３に進み、前記画像データ受信格納処理が正常に終了したならば、ステップＳ４１７に進む。
【０２２０】
ステップＳ４１３では、制御部４０２は、ネットワーク７０２及びパケット網７００を介して、撮像装置１００からのアップロード依頼に関するエラー通知を撮像装置１００に返信し、ステップＳ４０２に戻る。ステップＳ４１７では、制御部４０２は、ネットワーク７０２、パケット網７００、アンテナ１１２及び通信部１１０を介して、撮像装置１００に対して引換情報を送信して（図１９のＴ２を参照）、ステップＳ４０２に戻る。
【０２２１】
受信したコマンドやデータを判断した結果、撮像装置１００から撮影画像データのダウンロードを依頼するコマンドでなかったならば（ステップＳ２１７）、ステップＳ４２３に進む。ステップＳ４２３では、印刷装置８００から、ネットワーク６０６、インターネット６００及びネットワーク６０２を介して、撮像装置１００より返信された引換情報を画像情報管理装置４００に転送する通知であるか否かを判断し、該通知でなかったならば、ステップＳ４３０に進み、該通知であったならば、ステップＳ４２４に進む。
【０２２２】
ステップＳ４２４では、制御部４０２は、印刷装置８００から画像情報管理装置４００に転送された引換情報によって送信要求された画像データが、画像格納部４１８の所定領域に格納されているか否かを判断する。
【０２２３】
引換情報によって送信要求された画像データが、画像格納部４１８の所定領域に格納されていないならば（ステップＳ４２４）、ネットワーク６０２、インターネット６００、及びネットワーク６０６を介して、印刷装置８００に対してエラー通知を送信して（ステップＳ４２５）、ステップＳ４０２に戻る。
【０２２４】
引換情報によって送信要求された画像データが、画像格納部４１８の所定領域に格納されているならば（ステップＳ４２４）、制御部４０２は、引換情報によって送信要求された画像データを、画像格納部４１８の所定領域から読み出し（ステップＳ４２６）、印刷装置８００に送信して（ステップＳ４２７）、ステップＳ４２８に進む。
【０２２５】
ステップＳ４２８では、ステップＳ４２７における画像データの送信に際して、印刷装置８００からエラー通知が無かったか否かを判断し、エラー通知が無かったならば（ステップＳ４２８）、ステップＳ４０２に戻り、エラー通知があったならば、制御部４０２は、ネットワーク７０２及びパケット網７００を介して、撮像装置１００からのアップロード依頼に関するエラー通知を撮像装置１００に返信し（ステップＳ４２９）、ステップＳ４０２に戻る。
【０２２６】
受信したコマンドやデータを判断した結果、プリントサービス８００から撮像装置１００に対して課金要求をする通知でなかったならば（ステップＳ４３０）、ステップＳ４０２に戻り、課金要求をする通知であったならば（ステップＳ４３０：図１９のＴ８参照）、制御部４０２は、課金管理部４２０の所定領域に格納された撮像装置１００に対する課金情報を更新して（ステップＳ４３１：図１９のＴ９参照）、ステップＳ４０２に戻る。
【０２２７】
なお、図１４及び図２１のフローチャートに従ったプログラムを例えば記録部４１０に格納し、制御部４０２で実行することにより、上記の制御方法を実現させることが可能となる。
【０２２８】
＜印刷装置８００の動作＞
次に、図２２及び図２３を用いて、第２実施形態に係る印刷装置８００の動作を説明する。
【０２２９】
図２２及び図２３は、第２実施形態の印刷装置８００の主ルーチンを示すフローチャートである。この図２２及び図２３のフローチャートに従ったプログラムを記録部８１０に格納し、制御部８０２で実行することにより、以下の制御方法を実現させることが可能となる。
【０２３０】
まず印刷装置８００の電源投入により、制御部８０２は、フラグやレジスタ、制御変数などを初期化し、記録部８１０の領域の一部に格納されたオペレーティング・システム等の制御プログラムを、バス８１２を介して記憶部８０４に読み込み実行する。そして、制御部８０２は、印刷装置８００の各部を初期化する（ステップＳ５０１）。
【０２３１】
撮像装置１００の利用者は、撮像装置１００を、印刷装置８００を備えるプリントラボ業者に持ち込むことにより、撮像装置１００と印刷装置８００が所定の空間距離内に位置し、この結果、撮像装置１００と印刷装置８００は、通信部１１４、アンテナ１１６、アンテナ８２４及び通信部８２２を介して、前述したようにＢｌｕｅｔｏｏｔｈなどの無線通信による交信を行うことが可能となる。
【０２３２】
制御部８０２は、通信部８２２、アンテナ８２４、アンテナ１１６及び通信部１１４を介し、Ｂｌｕｅｔｏｏｔｈなどの無線通信により、撮像装置１００に対して撮像装置問い合わせを行って（ステップＳ５０２：図１９のＴ３を参照）、ステップＳ５０３に進む。
【０２３３】
ステップＳ５０３では、ステップＳ５０２における撮像装置問い合わせ処理に対する回答が有るか否かを判断し、無かったならば、ステップＳ５０２に戻る。前記撮像装置問い合わせ処理に対する回答が有ったならば（ステップＳ５０３）、制御部８０２は、受信したコマンドやデータの内容が撮像装置１００から返信された引換情報であるか否かを判断する（ステップＳ５０４）。
【０２３４】
受信したコマンドやデータの内容を判断した結果、撮像装置１００から返信された引換情報でなかったならば（ステップＳ５０４）、制御部８０２は、受信した内容に応じた処理を実行して（ステップＳ５０５）、ステップＳ５０２に戻る。撮像装置１００から返信された引換情報であったならば（ステップＳ５０４：図１９のＴ４参照）、ステップＳ５０６に進んで、制御部８０２は、返信された引換情報の詳細内容を判断する。
【０２３５】
返信された引換情報の内容を判断した結果、引換情報に記載された引換情報の転送先に、該当する画像情報管理装置が無いならば（ステップＳ５０６）、ステップＳ５０７に進み、該当する画像情報管理装置があるならば、ネットワーク６０６、インターネット６００、及びネットワーク６０２を介して、撮像装置１００から返信された引換情報を画像情報管理装置４００に転送して（ステップＳ５０８：図１９のＴ５参照）、ステップＳ５０９に進む。
【０２３６】
ステップＳ５０９では、ステップＳ５０８における引換情報転送処理に際して、画像情報管理装置４００からエラー通知が有るか否かを判断し、エラー通知が無かったならば、ステップＳ５１０に進み、エラー通知が有ったならば、ステップＳ５０７に進む。
【０２３７】
ステップＳ５０７では、制御部８０２は、通信部８２２、アンテナ８２４、アンテナ１１６及び通信部１１４を介して、撮像装置１００に対してエラー通知を送信して、ステップＳ５０２に戻る。
【０２３８】
ステップＳ５１０では、制御部８０２は、画像情報管理装置４００から、ネットワーク６０２、インターネット６００及びネットワーク６０６を介して、コマンドやデータ等の通知があったかどうかを判断する。コマンドやデータ等の通知が無かったならば、ステップＳ５０９に戻り、コマンドやデータ等の通知があったならば、制御部８０２は、画像情報管理装置４００からコマンド及び或いは画像データ、並びにそれらの付加情報を受信し、記憶部８０４の所定領域及び或いは記録部８１０の所定領域に格納する（ステップＳ５１１）。
【０２３９】
受信したコマンドやデータを判断した結果、画像情報管理装置４００から印刷画像データを受信するコマンドでなかったならば（ステップＳ５１２）、制御部８０２は、受信したコマンドやデータの内容に応じた処理を実行して（ステップＳ５１３）、ステップＳ５０１に戻る。
【０２４０】
印刷画像データを受信するコマンドであったならば（ステップＳ５１２）、通信部４１６、ネットワーク６０２、インターネット６００、ネットワーク６０６及び通信部８１４を介して、印刷処理を行うための印刷画像データを受信し（ステップＳ５１４）、受信した印刷画像データを記憶部８０４及び或いは記録部８１０の所定領域に順次格納して（ステップＳ５１５：図１９のＴ６参照）、ステップＳ５１６に進む。
【０２４１】
ステップＳ５１６では、正常に受信を完了したか否かを判断し、完了したならば、ステップＳ５２１に進み、正常に受信を完了しなかったならば、制御部８０２は、通信部８１４、ネットワーク６０６、インターネット６００、ネットワーク６０２、及び通信部４１６を介して、ステップＳ５１４からステップＳ５１５にかけての印刷画像データ受信処理に関するエラー通知を画像情報管理装置４００に返信した後に（ステップＳ５１７）、ステップＳ５２１に進む。
【０２４２】
制御部８０２は、記憶部８０４及び或いは記録部８１０の所定領域に格納した印刷画像データを読み出して（ステップＳ５２１）、暗号／復号部８１６によって所定の復号処理を行い（ステップＳ５２２）、さらに圧縮／伸長部８１８によって所定の伸長処理を行った後（ステップＳ５２３）、印刷部８２０により印刷情報の指示内容に応じた画像印刷処理を行い（ステップＳ５２４：図１９のＴ７参照）、ステップＳ５２５に進む。
【０２４３】
次の画像を印刷する場合は（ステップＳ５２５）、ステップＳ５２１に戻り、一連の印刷処理を繰り返し、次の画像を印刷しないならば（ステップＳ５２５）、ステップＳ５２６に進む。
【０２４４】
ステップＳ５２６では、制御部８０２は、ステップＳ５２４での印刷処理に係る課金を要求する課金要求通知を画像情報管理装置４００に対して送信して（図１９のＴ８参照）、ステップＳ５０２に戻る。
【０２４５】
以上のように、本発明の第２の実施形態によれば、撮像装置１００から画像情報管理装置４００に撮影画像データを送付格納（アップロード）する際に（図１９のＴ１を参照）、プリントを受け取るための引換情報が画像情報管理装置４００から返送される（図１９のＴ２を参照）。その結果、撮像装置１００は、この引換情報をプリント受け取り時に印刷装置８００からの問い合わせ（図１９のＴ３を参照）に応じて印刷装置８００に返信することにより（図１９のＴ４を参照）、この引換情報に基づいて、該引換情報に対応した撮影画像データを画像情報管理装置４００から印刷装置８００に転送させ（図１９のＴ５，Ｔ６を参照）、印刷装置８００でプリントを行って受け取ることが可能となる（図１９のＴ７を参照）。また、画像情報管理装置４００が備える課金管理部に対して、印刷装置８００から撮像装置１００に関する課金を要求することにより（図１９のＴ８を参照）、プリント代金の支払いを受けることが可能となる（図１９のＴ９を参照）。
【０２４６】
＜変形例＞
なお、本発明は、上記実施形態に限定されず、例えば以下に述べるような種々の変形が可能である。
【０２４７】
（１）第１及び第２実施形態の説明においては、印刷装置８００から撮像装置１００に対してＢｌｕｅｔｏｏｔｈ通信等を用いた撮像装置問い合わせ処理を行い、印刷装置８００からの問い合わせに応じて引換情報を送信するとして説明したが、撮像装置１００から印刷装置８００に対してＢｌｕｅｔｏｏｔｈ通信等を用いた印刷装置問い合わせ処理を行い、問い合わせに対する印刷装置８００からの返信に応じて、撮像装置１００から印刷装置８００に対して引換情報を送信するように構成しても構わない。
【０２４８】
（２）第１実施形態では、撮像装置１００が撮影した画像データを画像情報管理装置４００に送信し、送信した画像データを画像情報管理装置４００から印刷装置に転送させて印刷を行わせるために、撮像装置１００において何れの印刷装置を印刷先に指定するかを初期設定する際に、ステップＳ１９０４において入力された住所情報を用いて初期設定する或いは選択の候補を設定するとして説明したが、画像情報管理装置４００において、撮像装置１００から送付された住所情報を用いて、何れの印刷装置を印刷先に指定するかを初期設定する或いは選択の候補を設定し、設定した結果を撮像装置１００に通知するようにしても良い。
【０２４９】
（３）、第１及び第２実施形態の説明に於いては、撮像装置１００、画像情報管理装置４００、及び印刷装置８００をそれぞれ１台の構成として説明したが、撮像装置１００が単数或いは複数の構成、画像情報管理装置４００が単数或いは複数の構成、印刷装置８００が単数或いは複数の構成の何れの組み合わせであっても構わない。そして、携帯電話基地局を含むパケット網７００に関しても、単数或いは複数の何れの構成であっても構わない。
【０２５０】
（４）撮像装置１００は、撮像機能部分と携帯電話機能を備えた通信部１１０を含む通信機能部分が一体となった構成として説明したが、撮像機能部分と通信機能部分が別体となった構成としても問題無い。この場合、撮像機能部分と通信機能部分はＵＳＢ等の有線通信或いはＢｌｕｅｔｏｏｔｈ等の無線通信により相互に通信可能な構成とすれば良い。そして、パケット網７００を介した画像情報管理装置４００との間のコマンドやデータの送受は撮像装置１００の通信機能部分と行い、印刷装置８００との間のコマンドやデータの送受は撮像装置１００の撮像機能部分と行うような構成とすれば良い。
【０２５１】
（５）撮像装置１００は、撮像機能部分と、携帯電話機能を備えた通信部１１０を含む通信機能部分とが一体となった構成として説明したが、撮像装置１００を撮像機能部分を備えた電子カメラと通信機能部分を備えた携帯電話とを組み合わせた構成としても問題はない。この場合、撮像装置１００の一部である電子カメラと撮像装置１００の一部である携帯電話はＵＳＢ等の有線通信或いはＢｌｕｅｔｏｏｔｈ等の無線通信により相互に通信可能な構成とすれば良い。そして、パケット網７００を介した画像情報管理装置４００との間のコマンドやデータの送受、及び印刷装置８００との間のコマンドやデータの送受は撮像装置１００の一部である携帯電話によって行い、撮影などの機能は撮像装置１００の一部である電子カメラによって行うような構成とすれば良い。これにより、撮像装置１００での引換情報の取り扱いは、撮像装置１００の一部である携帯電話によって行うことが可能となり、この引換情報をプリント受け取り時に印刷装置８００からの問い合わせに応じて撮像装置１００の一部である携帯電話から印刷装置８００に返信することが可能となる。
【０２５２】
さらに、撮像装置１００の使用者は、撮像装置１００の一部である電子カメラを、印刷装置８００を備えるプリントラボに持っていかなくても、撮像装置１００の一部である携帯電話をプリントラボに持ち込むことにより、印刷装置８００でプリントを行って受け取ることが可能となる。
【０２５３】
（６）第１及び第２実施形態の説明に於いては、撮像装置１００から画像情報管理装置４００に撮影画像データを送付格納（アップロード）する際に、プリントを受け取るための引換情報が画像情報管理装置４００から返送され、その結果、撮像装置１００自身が、この引換情報をプリント受け取り時に印刷装置８００からの問い合わせに応じて印刷装置８００に返信することにより、この引換情報に基づいて、引換情報に応じた撮影画像データを画像情報管理装置４００から印刷装置８００に転送させ、印刷装置８００でプリントを行って受け取ることが可能となるとして説明した。この点について、この引換情報を友人などの第三者が所持する撮像装置１００に転送することにより、友人などの第三者が所持する撮像装置１００が、この引換情報をプリント受け取り時に印刷装置８００からの問い合わせに応じて印刷装置８００に返信することにより、この引換情報に基づいて、引換情報に応じた撮影画像データを画像情報管理装置４００から印刷装置８００に転送させ、印刷装置８００でプリントを行って受け取ることも可能である。また、前述のように、友人などの第三者が所持する、撮像装置１００の一部として代用可能な携帯電話に、この引換情報を転送するようにしても良い。
【０２５４】
この場合、印刷装置８００は、撮像装置１００或いは撮像装置１００の一部として代用可能な携帯電話に対する問い合わせを行い、それに応じて返信された引換情報に基づいて、引換情報に応じた撮影画像データを画像情報管理装置４００に要求して受信し、受信した画像データのプリントを行い、撮像装置１００或いは撮像装置１００の一部として代用可能な携帯電話の使用者に対してプリントの受け渡しを可能とする。これと共に、画像情報管理装置４００が備える課金管理部に対して、印刷装置８００から撮像装置１００に関する課金を要求することにより、プリント代金の支払いを受けることが可能となる。ここで、印刷装置８００から撮像装置１００に関する課金を要求する代わりに、印刷装置８００から友人などの第三者に対して支払いを求めるようにすることも可能である。
【０２５５】
（７）記録媒体２００は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ（登録商標））カード、ＭＭＣ（マルチメディアカード）、ＳＤカード等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題はない。また、記録媒体２００がメモリカードとハードディスク等が一体となった複合媒体であっても勿論問題はない。さらに、その複合媒体から一部が着脱可能な構成としても勿論問題はない。そして、実施形態の説明に於いては、記録媒体２００は撮像装置１００に内蔵しているとして説明したが、撮像装置１００と分離して任意に接続可能になっていても勿論問題はない。また、撮像装置１００に記録媒体２００が、単数或いは複数の任意の個数、内蔵或いは接続可能な構成であっても構わない。
【０２５６】
なお、本発明の目的は、前述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０２５７】
この場合、記憶媒体から読み出されたプログラムコード自体が前述した実施形態の機能を実現することになり、そのプログラムコードを記憶した記憶媒体は本発明を構成することになる。
【０２５８】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０２５９】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０２６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０２６１】
【図１】本発明の第１実施形態に係る撮像システムの全体構成を示す図である。
【図２】図１に示した撮像装置１００の構成を示すブロック図である。
【図３】図２の続きの図である。
【図４】図１に示した画像情報管理装置４００の構成を示すブロック図である。
【図５】図１に示した印刷装置（プリントサービス）８００の構成を示すブロック図である。
【図６】第１実施形態の撮像装置１００の主ルーチンを示すフローチャートである。
【図７】図６のステップＳ１００７における課金登録処理の詳細を示すフローチャートである。
【図８】図６のステップＳ１０１２における撮影モード処理の詳細を示すフローチャートである。
【図９】図８の続きの図である。
【図１０】図８のステップＳ１１０４における測距・測光処理の詳細を示すフローチャートである。
【図１１】図８のステップＳ１１０７における撮影処理の詳細を示すフローチャートである。
【図１２】図６のステップＳ１０１４における再生モード処理の詳細を示すフローチャートである。
【図１３】図６のステップＳ１０１７におけるプリントサービスモード処理の詳細を示すフローチャートである。
【図１４】第１実施形態の画像情報管理装置４００の主ルーチンを示すフローチャートである。
【図１５】図１４の続きのフローチャートである。
【図１６】第１実施形態の印刷装置８００の主ルーチンを示すフローチャートである。
【図１７】図１６の続きのフローチャートである。
【図１８】撮像装置１００と印刷装置８００の関係図である。
【図１９】本発明の第２実施形態に係る撮像システムの全体構成を示す図である。
【図２０】第２実施形態に係る撮影モード処理（図６のステップＳ１０１２）の詳細を示すフローチャートの部分図である。
【図２１】第２実施形態に係る画像情報管理装置４００の主ルーチンを示すフローチャートの部分図である。
【図２２】第２実施形態の印刷装置８００の主ルーチンを示すフローチャートである。
【図２３】図２２の続きのフローチャートである。
【符号の説明】
【０２６２】
１０  撮影レンズ
１４  撮像素子
１６  Ａ／Ｄ変換器
２０  画像処理回路
２２  メモリ制御回路
２４  画像表示メモリ
２８  画像表示部
３０，５２  メモリ
３６  課金管理部
５０  システム制御回路
５４  表示部
５８  識別情報格納部
７０  操作部
８０  電源制御部
１００  撮像装置
１１０，１１４  通信部
１１２，１１６  アンテナ
２００  記録媒体
２０２  記録部
４００  画像情報管理装置
４０２  制御部
４０４  記憶部
４１０  記録部
４１４，４１６  通信部
４１８  画像格納部
４２０  課金管理部
８００  印刷装置
８０２  制御部
８０４  記憶部
８１４  通信部
８２０  印刷部
８２２  通信部
８２４  アンテナ
８２６  識別情報部
【図１】
2005108119.tif 000003
【図２】
2005108119.tif 000004
【図３】
2005108119.tif 000005
【図４】
2005108119.tif 000006
【図５】
2005108119.tif 000007
【図６】
2005108119.tif 000008
【図７】
2005108119.tif 000009
【図８】
2005108119.tif 000010
【図９】
2005108119.tif 000011
【図１０】
2005108119.tif 000012
【図１１】
2005108119.tif 000013
【図１２】
2005108119.tif 000014
【図１３】
2005108119.tif 000015
【図１４】
2005108119.tif 000016
【図１５】
2005108119.tif 000017
【図１６】
2005108119.tif 000018
【図１７】
2005108119.tif 000019
【図１８】
2005108119.tif 000020
【図１９】
2005108119.tif 000021
【図２０】
2005108119.tif 000022
【図２１】
2005108119.tif 000023
【図２２】
2005108119.tif 000024
【図２３】
2005108119.tif 000025